(57)【要約】  情報装置は、第１の金属アンテナ（１０３ａ）と、第２の金属アンテナ（１０３ｂ）と、第１の金属アンテナ（１０３ａ）と第２の金属アンテナ（１０３ｂ）との間の距離を、ディスク（１０４）の表面におけるトラック方向に直交する方向に可変させるヒータ（１０７）とを含むスライダ（１００）と、スライダ（１００）をディスク（１０４）の表面に対して平行に移動させるアームモータ（１２０）とを備え、アームモータ（１２０）とヒータ（１０７）とは、第１の金属アンテナ（１０３ａ）と第２の金属アンテナ（１０３ｂ）とを、各々が対象とするトラックに追従させる。
2013057924.tif 000002
【特許請求の範囲】
【請求項１】
第１の素子と、第２の素子と、前記第１の素子と前記第２の素子との間の距離を、前記情報担体の表面におけるトラック方向に直交する方向に可変させる素子間距離可変部とを含むヘッドと、
前記ヘッドを前記情報担体の表面に対して平行に移動させるヘッド移動部とを備え、
前記ヘッド移動部と前記素子間距離可変部とは、前記第１の素子と前記第２の素子とを、各々が対象とするトラックに追従させることを特徴とする情報装置。
【請求項２】
前記ヘッド移動部と前記素子間距離可変部とは、前記第１の素子と前記第２の素子とを異なる半径位置のトラックに追従させることを特徴とする請求項１記載の情報装置。
【請求項３】
前記ヘッド移動部と前記素子間距離可変部とは、前記第１の素子と前記第２の素子とを前記トラック方向に直交する方向に互いに隣接するトラックに追従させることを特徴とする請求項２に記載の情報装置。
【請求項４】
前記ヘッド移動部と前記素子間距離可変部とは、前記第１の素子と前記第２の素子とを同じトラックに追従させることを特徴とする請求項１記載の情報装置。
【請求項５】
前記第１の素子は、前記情報担体に対して情報を記録するための記録素子を含み、
前記第２の素子は、前記情報担体から情報を再生するための再生素子を含むことを特徴とする請求項１〜４のいずれかに記載の情報装置。
【請求項６】
前記記録素子は、前記情報担体の記録対象領域とのプラズモン共鳴により発生させた近接場光を前記記録対象領域に照射することで、前記情報担体に対して情報を記録し、
前記再生素子は、前記情報担体の再生対象領域とのプラズモン共鳴を利用して、前記情報担体から情報を再生することを特徴とする請求項５記載の情報装置。
【請求項７】
前記記録素子と前記再生素子とは、記録動作又は再生動作を行う際に、前記情報担体上の情報を記録又は再生する位置に対し、前記記録素子が到達した後に前記再生素子が到達するように配置されていることを特徴とする請求項５又は６記載の情報装置。
【請求項８】
前記記録素子と前記再生素子とは、記録動作を行う時に前記情報担体の記録膜の変化が開始してから終了するまでの時間と、前記情報担体の回転数とに基づいて決定される距離以上離れて配置されていることを特徴とする請求項７記載の情報装置。
【請求項９】
前記記録素子によって記録された情報を前記再生素子によって記録動作と並行して再生することにより、前記記録素子による記録が正しく行われたか否かを確認する確認部をさらに備えることを特徴とする請求項５〜８のいずれかに記載の情報装置。
【請求項１０】
前記記録素子と前記再生素子とは、記録動作又は再生動作を行う際に、前記情報担体上の情報を記録又は再生する位置に対し、前記再生素子が到達した後に前記記録素子が到達するように配置されていることを特徴とする請求項５又は６記載の情報装置。
【請求項１１】
前記記録素子と前記再生素子とは、再生信号が伝送される再生信号伝送路を前記再生信号が通過するのに要する再生遅延時間と前記再生信号を処理するのに要する回路遅延時間と記録信号が伝送される記録信号伝送路を前記記録信号が通過するのに要する記録遅延時間との合計時間と、前記情報担体の回転数とに基づいて決定される距離以上離れて配置されていることを特徴とする請求項１０記載の情報装置。
【請求項１２】
前記再生素子によって再生された情報を前記記録素子によって再生動作と並行して記録することにより、前記情報担体に記録されていた情報を上書きする上書き処理部をさらに備えることを特徴とする請求項１０又は１１記載の情報装置。
【請求項１３】
前記情報担体に記録されていた情報を再生した際に得られる再生信号の信号品質を測定する再生信号品質測定部と、
前記情報担体に記録されていた情報を前記再生素子によって再生し、前記再生信号品質測定部からの測定結果に基づいて、前記情報担体に記録されていた情報の記録品質を判断する記録品質判断部とをさらに備え、
前記上書き処理部は、前記記録品質判断部によって記録品質が悪いと判断された場合、前記再生素子によって再生された情報を、前記情報担体において記録されていた位置に前記記録素子によって再生動作と並行して記録することにより、前記情報担体に記録されていた情報を上書きすることを特徴とする請求項１２記載の情報装置。
【請求項１４】
前記記録素子と前記トラックとの位置ずれを検出する記録トラック位置ずれ検出部と、
前記再生素子と前記トラックとの位置ずれを検出する再生トラック位置ずれ検出部とをさらに備えることを特徴とする請求項５〜１３のいずれかに記載の情報装置。
【請求項１５】
前記再生素子と前記トラックとの位置ずれを検出する再生トラック位置ずれ検出部と、
前記再生トラック位置ずれ検出部からの信号に基づいて、前記記録素子と前記トラックとの位置ずれを推定する記録トラック位置ずれ推定部とをさらに備えることを特徴とする請求項５〜１３のいずれかに記載の情報装置。
【請求項１６】
前記記録トラック位置ずれ推定部は、前記ヘッドが位置する前記情報担体の半径位置に基づいて、前記記録素子と前記トラックとの位置ずれを推定することを特徴とする請求項１５に記載の情報装置。
【請求項１７】
前記ヘッドは、前記記録素子と同じトラック上で、かつ前記記録素子の近傍に配置されるトラッキング用素子をさらに含み、
前記トラッキング用素子と前記トラックとの位置ずれを検出する記録トラック位置ずれ検出部と、
前記再生素子と前記トラックとの位置ずれを検出する再生トラック位置ずれ検出部とをさらに備えることを特徴とする請求項５〜１３のいずれかに記載の情報装置。
【請求項１８】
前記記録素子と前記トラックとの位置ずれを検出する記録トラック位置ずれ検出部と、
記録動作中の前記記録トラック位置ずれ検出部からの信号に基づいて、記録動作中に異常が発生したか否かを検出する記録異常検出部と、
前記記録異常検出部によって前記記録動作中に異常が発生したことが検出された場合、対象とするトラックに前記再生素子が追従するのを停止させる追従停止部とをさらに備えることを特徴とする請求項５〜１３のいずれかに記載の情報装置。
【請求項１９】
前記ヘッドは、前記情報担体に対して磁気的に情報を記録するための磁気記録素子をさらに含み、
前記第１の素子は、トラッキング用素子を含み、
前記第２の素子は、前記情報担体の記録対象領域を加熱するための加熱用素子を含み、
前記トラッキング用素子は、前記磁気記録素子と同じトラック上で、かつ前記磁気記録素子の近傍に配置されており、
前記ヘッド移動部と前記素子間距離可変部とは、前記トラッキング用素子と前記加熱用素子とを同じトラックに追従させることにより、前記磁気記録素子と前記加熱用素子とを同じトラックに追従させることを特徴とする請求項１〜４のいずれかに記載の情報装置。
【発明の詳細な説明】
【技術分野】
【０００１】
本発明は、情報担体に情報を記録する又は情報担体から情報を再生する情報装置に関するものである。
【背景技術】
【０００２】
現在、各種情報機器において情報の保存には、ハードディスク装置をはじめとするストレージが広く用いられている。【０００３】
ハードディスク装置においては、情報の読み出し速度又は書き込み速度を向上させるために、特許文献１の構成が提案されている。【０００４】
特許文献１においては、読み出し素子及び書き込み素子を１組の磁気素子とし、１つのスライダ上に２組の磁気素子が搭載される。【０００５】
また、２組の磁気素子間の距離は、記録媒体である磁気ディスク上のトラック幅の整数倍としている。以上の構成により、１つのスライダを用いて２箇所以上のトラックについて同時に情報の読み出し又は書き込みが可能となり、ハードディスク装置における情報の読み出し速度又は書き込み速度の向上が実現できる。【０００６】
一方、近年、ストレージの更なる大容量化を実現する方法及びハードディスク装置の開発が行われている。ハードディスク装置において、ハードディスク装置の記憶容量を増加させるためには、使用する磁気ディスクの１枚あたりの記憶容量を増加させればよい。【０００７】
磁気ディスクには、同心円状のトラックに沿って情報が記録される。そのため、磁気ディスクの１周あたりに記録する密度を向上させるか、トラック幅を狭くして磁気ディスクの１枚あたりのトラック数を増加させることで、磁気ディスクの記憶容量を増加させることが可能となる。【０００８】
しかしながら、例えば、上記した１つのスライダ上に複数の素子を搭載したハードディスク装置などにおいて、記憶容量の増加を目指してトラック幅が狭くされると、各素子が各トラックに追従する際の追従精度を向上させる必要があるため、素子間の距離を高精度に決める必要がある。そのため、スライダをはじめとする各種部品の加工行程又は調整工程の増加を招き、その結果、装置のコストが上昇するという課題が生じる。
【先行技術文献】
【特許文献】
【０００９】
【特許文献１】特開平１−１１６９２１号公報
【発明の概要】
【００１０】
本発明は、上記の問題を解決するためになされたもので、ヘッド上の各素子を情報担体上の各々が対象とするトラックに精度良く追従させることができるとともに、記録性能及び再生性能を向上させることができる情報装置を提供することを目的とするものである。
【００１１】
本発明の一局面に係る情報装置は、第１の素子と、第２の素子と、前記第１の素子と前記第２の素子との間の距離を、前記情報担体の表面におけるトラック方向に直交する方向に可変させる素子間距離可変部とを含むヘッドと、前記ヘッドを前記情報担体の表面に対して平行に移動させるヘッド移動部とを備え、前記ヘッド移動部と前記素子間距離可変部とは、前記第１の素子と前記第２の素子とを、各々が対象とするトラックに追従させる。
【００１２】
本発明によれば、ヘッド移動部と素子間距離可変部とによって、第１の素子と第２の素子とが、各々が対象とするトラックに追従されるので、ヘッド上の各素子を情報担体上の各々が対象とするトラックに精度良く追従させることができるとともに、記録性能及び再生性能を向上させることができる。
【００１３】
本発明の目的、特徴及び利点は、以下の詳細な説明と添付図面とによって、より明白となる。
【図面の簡単な説明】
【００１４】
【図１】本発明の実施の形態１における情報記録再生装置の構成を示すブロック図である。
【図２】図１におけるスライダの構成の一例を示す上面図である。
【図３】図１におけるスライダの構成の一例を示す側面図である。
【図４】図１における第１のトラック位置ずれ検出部及び第２のトラック位置ずれ検出部の構成を示すブロック図である。
【図５】ディスク上のトラックにおけるセルの配列と、受光素子によって得られる信号との例を示す図である。
【図６】本実施の形態１の第１の変形例の情報記録再生装置におけるスライダの構成を示す模式図である。
【図７】本実施の形態１の第２の変形例の情報記録再生装置におけるスライダの構成を示す模式図である。
【図８】本実施の形態１の第３の変形例の情報記録再生装置におけるスライダの構成を示す模式図である。
【図９】本発明の実施の形態２における情報記録再生装置の構成を示すブロック図である。
【図１０】図９におけるスライダの構成の一例を示す模式図である。
【図１１】本実施の形態２の第１の変形例における情報記録再生装置の構成を示すブロック図である。
【図１２】本実施の形態２の第２の変形例の情報記録再生装置におけるスライダの構成を示す模式図である。
【図１３】本発明の実施の形態３における情報記録再生装置の構成を示すブロック図である。
【図１４】本実施の形態３において、スライダをディスク半径方向に駆動させる様子を示す上面図である。
【図１５】スライダがディスクの最外周近傍に位置するときのスライダ、第１の金属アンテナ、第２の金属アンテナ及びディスクのトラックの関係を示す模式図である。
【図１６】スライダがディスクの最内周近傍に位置するときのスライダ、第１の金属アンテナ、第２の金属アンテナ及びディスクのトラックの関係を示す模式図である。
【図１７】本発明の実施の形態４における情報記録再生装置の構成を示すブロック図である。
【図１８】図１７におけるスライダの構成の一例を示す模式図である。
【図１９】本発明の実施の形態５における情報記録再生装置の構成を示すブロック図である。
【図２０】本発明の実施の形態６における磁気記録装置の構成を示すブロック図である。
【図２１】図２０におけるスライダの構成の一例を示す模式図である。
【発明を実施するための形態】
【００１５】
以下に、本発明の実施の形態について、図面を参照しながら説明する。なお、以下の実施の形態は、本発明を具体化した一例であって、本発明の技術的範囲を限定するものではない。
【００１６】
各実施の形態における情報装置は、情報担体の表面を移動するヘッドを備える。情報担体の表面には、トラック方向に沿ってトラックが形成されている。情報装置は、第１の素子と、第２の素子と、第１の素子と第２の素子との間の距離を、情報担体の表面におけるトラック方向に直交する方向に可変させる素子間距離可変部とを含むヘッドと、ヘッドを情報担体の表面に対して平行に移動させるヘッド移動部とを備える。このとき、ヘッド移動部と素子間距離可変部とは、第１の素子と第２の素子とを、各々が対象とするトラックに追従させる。
【００１７】
以上の構成によれば、情報装置に部品誤差又は組み立て誤差がある場合においても、ヘッド上の各素子を情報担体上の各々が対象とするトラックに精度良く追従させることができるとともに、記録性能及び再生性能を向上させることができる。
【００１８】
（実施の形態１）
実施の形態１においては、情報装置の一例として情報記録再生装置を挙げて説明する。また、情報担体の一例としてディスクを挙げて説明する。また、第１の素子の一例として、情報担体に対して情報を記録するための記録素子を挙げて説明する。また、第２の素子の一例として、情報担体から情報を再生するための再生素子を挙げて説明する。
【００１９】
図１は、本発明の実施の形態１における情報記録再生装置の構成を示すブロック図である。図２及び図３は、図１におけるスライダ１００の構成の一例を示す模式図である。図２は、図１におけるスライダ１００の構成の一例を示す上面図である。図２において、紙面上下方向がトラック方向であり、紙面左右方向がディスク半径方向（トラック方向に直交する方向）である。図３は、図１におけるスライダ１００の構成の一例を示す側面図である。図３において、紙面上下方向がディスク垂直方向であり、紙面左右方向がディスク半径方向である。
【００２０】
図１に示す情報記録再生装置は、スライダ１００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、レーザダイオード駆動部（以降、ＬＤ駆動部と称する）１２４及び二値化部１２５を備える。
【００２１】
図２及び図３に示すように、ディスク１０４は、微小構造突起であるセル１０５が規則的に配置されたパターンド媒体である。セル１０５はトラック方向に配列され、セル１０５の列はディスク１０４上で同心円状のトラック（図２の一点鎖線）を形成する。ここで、セル１０５は相変化材料の記録膜を有する。また、ディスク１０４は、図２における紙面下方から上方に向かって回転する。さらに、ディスク１０４は、紙面左方のトラックから紙面右方のトラックへ順に情報が記録される。
【００２２】
また、図２及び図３に示すように、スライダ１００は、三角平板形状の第１の金属アンテナ１０３ａ、三角平板形状の第２の金属アンテナ１０３ｂ及びヒータ１０７を備える。第１の金属アンテナ１０３ａ及び第２の金属アンテナ１０３ｂは、それぞれ三角形状の先端がセル１０５の表面に最も近接するようにスライダ１００に配置されている。加えて、第１の金属アンテナ１０３ａ及び第２の金属アンテナ１０３ｂは、第１の金属アンテナ１０３ａの先端と第２の金属アンテナ１０３ｂの先端とがディスク半径方向にトラック間隔Ｔｐだけ離れた位置になるように紙面左方から第２の金属アンテナ１０３ｂ及び第１の金属アンテナ１０３ａの順にスライダ１００に配置されている。また、ヒータ１０７は、第１の金属アンテナ１０３ａと第２の金属アンテナ１０３ｂとの間に配置されている。
【００２３】
スライダ１００は、第１の金属アンテナ１０３ａ（第１の素子）と、第２の金属アンテナ１０３ｂ（第２の素子）と、第１の金属アンテナ１０３ａ（第１の素子）と第２の金属アンテナ１０３ｂ（第２の素子）との間の距離を、ディスク１０４（情報担体）の表面におけるトラック方向に直交する方向に可変させるヒータ１０７（素子間距離可変部）とを含む。第１の金属アンテナ１０３ａは、ディスク１０４（情報担体）に対して情報を記録するための記録素子の一例である。第２の金属アンテナ１０３ｂは、ディスク１０４（情報担体）から情報を再生するための再生素子の一例である。
【００２４】
第１の金属アンテナ１０３ａは、ディスク１０４の記録対象領域とのプラズモン共鳴により発生させた近接場光を記録対象領域に照射することで、ディスク１０４に対して情報を記録する。第２の金属アンテナ１０３ｂは、ディスク１０４の再生対象領域とのプラズモン共鳴を利用して、ディスク１０４から情報を再生する。
【００２５】
なお、セル１０５の幅は１０ｎｍ〜１００ｎｍであっても良い。第１の金属アンテナ１０３ａ及び第２の金属アンテナ１０３ｂのそれぞれの幅は、第１の金属アンテナ１０３ａ及び第２の金属アンテナ１０３ｂのそれぞれに照射する光の波長よりも小さいことが好ましい。
【００２６】
スライダ１００は、第１の半導体レーザ素子１０１ａ、第２の半導体レーザ素子１０１ｂ、第１の導波路１０２ａ、第２の導波路１０２ｂ、第１の金属アンテナ１０３ａ、第２の金属アンテナ１０３ｂ、第１の受光素子１０６ａ、第２の受光素子１０６ｂ及びヒータ１０７を備える。
【００２７】
図４は、図１における第１のトラック位置ずれ検出部１０９ａ及び第２のトラック位置ずれ検出部１０９ｂの構成を示すブロック図である。
【００２８】
第１のトラック位置ずれ検出部１０９ａは、第１の金属アンテナ１０３ａ（記録素子）とトラックとの位置ずれを検出する。第２のトラック位置ずれ検出部１０９ｂは、第２の金属アンテナ１０３ｂ（再生素子）とトラックとの位置ずれを検出する。第１のトラック位置ずれ検出部１０９ａは、タイミング生成部１１５、第１のサンプルホールド部１１６ａ、第２のサンプルホールド部１１６ｂ及び減算器１１７を備える。なお、第２のトラック位置ずれ検出部１０９ｂの構成は、第１のトラック位置ずれ検出部１０９ａの構成と同じであるので説明を省略する。
【００２９】
なお、本実施の形態１において、第１の金属アンテナ１０３ａが第１の素子及び記録素子の一例に相当し、第２の金属アンテナ１０３ｂが第２の素子及び再生素子の一例に相当し、スライダ１００がヘッドの一例に相当し、ヒータ１０７が素子間距離可変部の一例に相当し、サスペンションアーム１０８及びアームモータ１２０がヘッド移動部の一例に相当し、ホストコンピュータ１２３が確認部の一例に相当し、第１の受光素子１０６ａ及び第１のトラック位置ずれ検出部１０９ａが記録トラック位置ずれ検出部の一例に相当し、第２の受光素子１０６ｂ及び第２のトラック位置ずれ検出部１０９ｂが再生トラック位置ずれ検出部の一例に相当する。
【００３０】
以上のように構成された情報記録再生装置の動作について説明する。
【００３１】
ディスク１０４は、ディスクモータ（図示しない）によって回転される。スライダ１００は、サスペンションアーム１０８によってディスク１０４に対向して保持されている。ハードディスクドライブで採用されるフライングヘッドと同様の技術を用いて、スライダ１００とディスク１０４との距離は一定に保たれる。
【００３２】
光源である第１の半導体レーザ素子１０１ａ及び第２の半導体レーザ素子１０１ｂから出射された光は、光を導く光学素子であるＹ字型の第１の導波路１０２ａ及び第２の導波路１０２ｂにそれぞれ入射され、第１の導波路１０２ａ及び第２の導波路１０２ｂによってそれぞれ第１の金属アンテナ１０３ａ及び第２の金属アンテナ１０３ｂに導かれる。
【００３３】
第１の金属アンテナ１０３ａ及び第２の金属アンテナ１０３ｂは、それぞれ第１の半導体レーザ素子１０１ａ及び第２の半導体レーザ素子１０１ｂの光によりプラズモン共鳴を励起する共鳴素子である。第１の金属アンテナ１０３ａ及び第２の金属アンテナ１０３ｂに導かれた光は、プラズモン共鳴を励起する。
【００３４】
一方、第１の金属アンテナ１０３ａ及び第２の金属アンテナ１０３ｂからの反射光は、それぞれ第１の導波路１０２ａ及び第２の導波路１０２ｂに入射され、第１の導波路１０２ａ及び第２の導波路１０２ｂによってそれぞれ第１の受光素子１０６ａ及び第２の受光素子１０６ｂに導かれて検出される。第１の受光素子１０６ａ及び第２の受光素子１０６ｂは、それぞれ検出した反射光の強度に応じた検出信号Ｓａ及び検出信号Ｓｂを出力する。
【００３５】
第１の受光素子１０６ａ及び第２の受光素子１０６ｂから出力された検出信号Ｓａ及び検出信号Ｓｂは、それぞれ第１のトラック位置ずれ検出部１０９ａ及び第２のトラック位置ずれ検出部１０９ｂに入力される。第１のトラック位置ずれ検出部１０９ａ及び第２のトラック位置ずれ検出部１０９ｂは、それぞれ検出信号Ｓａ及び検出信号Ｓｂに基づいて、それぞれ三角形状の第１の金属アンテナ１０３ａ及び第２の金属アンテナ１０３ｂの先端とトラック中心との位置ずれを示すトラッキングエラー信号（ＴＥ信号）ＴＥａ及びＴＥ信号ＴＥｂを生成する。
【００３６】
ここで、金属アンテナは、セル１０５との距離に応じて、そのプラズモン共鳴の強度が変化する。すなわち、金属アンテナがセル１０５に近接する場合（金属アンテナがトラック中心に位置する場合）は、プラズモン共鳴の強度は強くなる。一方、金属アンテナがセル１０５から離れている場合（金属アンテナがトラック中心からずれている場合）は、プラズモン共鳴の強度は弱くなる。また、金属アンテナからの反射光（又は透過光）は、金属アンテナのプラズモン共鳴の強度に応じて変化する。例えば、プラズモン共鳴の強度に応じて、反射光（又は透過光）の強度が変化する。
【００３７】
したがって、金属アンテナがトラック中心から離れているか否かで、金属アンテナからの反射光（又は透過光）の強度は変化する。これを利用することで、上述のように、第１の金属アンテナ１０３ａ及び第２の金属アンテナ１０３ｂからの反射光から、トラッキングエラー信号を得ることができる。もしくは、第１の金属アンテナ１０３ａ及び第２の金属アンテナ１０３ｂを透過する透過光から、トラッキングエラー信号を得ることもできる。
【００３８】
ここで、第１のトラック位置ずれ検出部１０９ａにおけるＴＥ信号の生成について説明する。図５は、ディスク１０４上のトラックにおけるセル１０５の配列と、受光素子によって得られる信号との例を示す図である。図５において、紙面上下方向がディスク半径方向であり、紙面左右方向がトラック方向であり、一点鎖線がトラック中心を表す。図５において、データ領域１１０は、トラック上に並んだセル１０５からなり、セル１０５における記録膜の相状態が変化することにより、データが記録されている。また、図５において、サーボ領域１１１は、セル１０５と同じ微小構造突起であるトリガマーク１１２及びウォブルマーク１１３，１１４からなる。ウォブルマーク１１３，１１４は、トラック中心に対してディスク半径方向に互いに逆方向に所定距離だけ離れて配置される。また、ウォブルマーク１１３，１１４は、トリガマーク１１２からトラックに沿った方向にそれぞれ距離Ｌ１，Ｌ２だけ離れて配置される。
【００３９】
ここで、ディスク１０４の回転によって第１の金属アンテナ１０３ａがディスク１０４に対してトラック方向に相対速度ｖで移動するとする。
【００４０】
図５の検出信号Ｓａ１は、第１の金属アンテナ１０３ａの先端が、トラック中心に沿ってサーボ領域を通過した時に得られる検出信号Ｓａの例である。また、図５の検出信号Ｓａ２は、第１の金属アンテナ１０３ａの先端が、トラック中心に対して紙面上方のディスク半径方向にずれた状態でトラック方向に沿ってサーボ領域を通過した時に得られる検出信号Ｓａの例である。一方、図５の検出信号Ｓａ３は、第１の金属アンテナ１０３ａの先端が、トラック中心に対して紙面下方のディスク半径方向にずれた状態でトラック方向に沿ってサーボ領域を通過した時に得られる検出信号Ｓａの例である。
【００４１】
図５の検出信号Ｓａ１に示すように、第１の金属アンテナ１０３ａがトラック中心に沿ってサーボ領域を通過すると、ウォブルマーク１１３を通過する時刻ｔ１（ｔ１＝Ｌ１／ｖ）における検出信号ＳａはＳ１０となり、ウォブルマーク１１４を通過する時刻ｔ２（ｔ２＝Ｌ２／ｖ）における検出信号の値はＳ２０となる。
【００４２】
また、図５の検出信号Ｓａ２に示すように、第１の金属アンテナ１０３ａがトラック中心から紙面上方にずれてトラック方向に沿ってサーボ領域を通過すると、時刻ｔ１及び時刻ｔ２における検出信号の値はそれぞれＳ１１及びＳ２１となる。
【００４３】
また、図５の検出信号Ｓａ３に示すように、第１の金属アンテナ１０３ａがトラック中心から紙面下方にずれてトラック方向に沿ってサーボ領域を通過すると、時刻ｔ１及び時刻ｔ２における検出信号の値はそれぞれＳ１２及びＳ２２となる。
【００４４】
ここで、検出信号Ｓａは第１の金属アンテナ１０３ａからの反射光強度に応じた信号である。第１の金属アンテナ１０３ａからの反射光強度は、一例として第１の金属アンテナ１０３ａの先端が微小構造突起の中心上に位置したときに最大となり、第１の金属アンテナ１０３ａの先端が微小構造突起の中心から離れるほど小さくなる。
【００４５】
したがって、時刻ｔ１及び時刻ｔ２における各検出信号の値は、Ｓ１０−Ｓ２０＝０、Ｓ１１−Ｓ２１＜０及びＳ１２−Ｓ２２＞０となる。
【００４６】
以上のように、第１の金属アンテナ１０３ａからの反射光強度が微小構造突起の中心からの距離に応じて変化することを利用して、ウォブルマーク１１３，１１４の位置における反射光強度を検出し、検出された反射光強度の差を算出することでトラック中心と第１の金属アンテナ１０３ａの先端との位置ずれを、極性を含めて検出することが可能となる。
【００４７】
検出信号Ｓａは、タイミング生成部１１５、第１のサンプルホールド部１１６ａ及び第２のサンプルホールド部１１６ｂに入力される。タイミング生成部１１５は、入力された検出信号Ｓａに基づいて、第１の金属アンテナ１０３ａの先端がトリガマーク１１２を通過したタイミングを基準としてウォブルマーク１１３，１１４の横を通過する時刻ｔ１，ｔ２のタイミングを示す２つのタイミング信号を生成し、それぞれ第１のサンプルホールド部１１６ａ及び第２のサンプルホールド部１１６ｂに出力する。
【００４８】
第１のサンプルホールド部１１６ａは、入力されたタイミング信号に応じて、検出信号Ｓａの時刻ｔ１における信号レベルＳ１をサンプルし、ホールドして減算器１１７へ出力する。第２のサンプルホールド部１１６ｂは、入力されたタイミング信号に応じて、検出信号Ｓａの時刻ｔ２における信号レベルＳ２をサンプルし、ホールドして減算器１１７へ出力する。減算器１１７は、入力された信号レベルＳ１から信号レベルＳ２を減算し、第１の金属アンテナ１０３ａの先端とトラック中心との位置ずれを示すＴＥ信号ＴＥａを出力する。
【００４９】
一方、第２のトラック位置ずれ検出部１０９ｂよるＴＥ信号の生成は、第１のトラック位置ずれ検出部１０９ａと同様である。第２のトラック位置ずれ検出部１０９ｂは、入力された検出信号Ｓｂから、第２の金属アンテナ１０３ｂの先端とトラック中心との位置ずれを示すＴＥ信号ＴＥｂを生成し、出力する。
【００５０】
また、サーボ領域１１１は、ディスク１０４の周内の複数箇所に配置される。各サーボ領域で得られる離散的なＴＥ信号ＴＥａ及びＴＥ信号ＴＥｂは、ホールド回路（図示しない）で保持され連続的なＴＥ信号となる。
【００５１】
第１の金属アンテナ１０３ａの先端とトラック中心との位置ずれを示すＴＥａ信号は、スライダ制御部１１８へ入力される。スライダ制御部１１８は、例えばディジタルシグナルプロセッサ（以降、ＤＳＰと称する）によるディジタルフィルタで構成された位相補償回路及び低域補償回路で構成され、入力されたＴＥ信号ＴＥａをアームモータ駆動信号としてアームモータ駆動部１１９に出力する。アームモータ駆動部１１９は、入力されたアームモータ駆動信号を増幅し、アームモータ１２０に出力する。アームモータ１２０は、増幅されたアームモータ駆動信号に応じてサスペンションアーム１０８を動かし、サスペンションアーム１０８の先端に保持されたスライダ１００をディスク半径方向に動かす。
【００５２】
以上の動作によって、ＴＥ信号ＴＥａを用いて、第１の金属アンテナ１０３ａの先端がディスク１０４のトラック中心に正しく位置するように制御するトラック制御が実現される。
【００５３】
一方、第２の金属アンテナ１０３ｂの先端とトラック中心との位置ずれを示すＴＥ信号ＴＥｂは、ヒータ制御部１２１へ入力される。ヒータ制御部１２１は、ＤＳＰによるディジタルフィルタで構成された位相補償回路及び低域補償回路で構成され、入力されたＴＥ信号ＴＥｂをヒータ駆動信号としてヒータ駆動部１２２に出力する。ヒータ駆動部１２２は、入力されたヒータ駆動信号を増幅し、ヒータ１０７に出力する。ヒータ１０７は、増幅されたヒータ駆動信号に応じて発熱し、熱量変化に応じた周囲の膨張収縮によって第１の金属アンテナ１０３ａと第２の金属アンテナ１０３ｂとの間の距離を変える。これにより、ヒータ１０７は、第１の金属アンテナ１０３ａに対して第２の金属アンテナ１０３ｂをディスク半径方向に動かす。
【００５４】
以上の動作によって、ＴＥ信号ＴＥｂを用いて、第２の金属アンテナ１０３ｂの先端がディスク１０４のトラック中心に正しく位置するように制御するトラック制御が実現される。
【００５５】
ヒータ１０７は、第１の金属アンテナ１０３ａ（第１の素子）と第２の金属アンテナ１０３ｂ（第２の素子）との間の距離を、ディスク１０４（情報担体）の表面におけるトラック方向に直交する方向に可変させる。
【００５６】
アームモータ１２０は、スライダ１００（ヘッド）をディスク１０４（情報担体）の表面に対して平行に移動させる。
【００５７】
アームモータ１２０とヒータ１０７とは、第１の金属アンテナ１０３ａ（第１の素子）と第２の金属アンテナ１０３ｂ（第２の素子）とを、各々が対象とするトラックに追従させる。また、アームモータ１２０とヒータ１０７とは、第１の金属アンテナ１０３ａ（第１の素子）と第２の金属アンテナ１０３ｂ（第２の素子）とを異なる半径位置のトラックに追従させる。さらに、アームモータ１２０とヒータ１０７とは、第１の金属アンテナ１０３ａ（第１の素子）と第２の金属アンテナ１０３ｂ（第２の素子）とをトラック方向に直交する方向に互いに隣接するトラックに追従させる。
【００５８】
例えば、アームモータ１２０（ヘッド移動部）は、第１の金属アンテナ１０３ａ（第１の素子）及び第２の金属アンテナ１０３ｂ（第２の素子）のいずれか一方が、対象とするトラック上に移動するように、スライダ１００を移動させる。そして、ヒータ１０７（素子間距離可変部）は、第１の金属アンテナ１０３ａ（第１の素子）と第２の金属アンテナ１０３ｂ（第２の素子）とが、各々対象とするトラック上に移動するように、第１の金属アンテナ１０３ａ（第１の素子）と第２の金属アンテナ１０３ｂ（第２の素子）との間の距離を、ディスク１０４（情報担体）の表面におけるトラック方向に直交する方向に可変させる。これにより、第１の金属アンテナ１０３ａ（第１の素子）と第２の金属アンテナ１０３ｂ（第２の素子）とは、各々が対象とするトラックに追従することになる。
【００５９】
以上説明したように、本実施の形態１の情報記録再生装置では、ＴＥ信号ＴＥａとアームモータ１２０とにより第１の金属アンテナ１０３ａのトラック制御が行われ、ＴＥ信号ＴＥｂとヒータ１０７とにより第２の金属アンテナ１０３ｂのトラック制御が行われる。また、トラック制御により、第１の金属アンテナ１０３ａ及び第２の金属アンテナ１０３ｂは、半径方向に互いに隣接するトラックに対してそれぞれ追従する。
【００６０】
これにより、スライダ１００における第１の金属アンテナ１０３ａと第２の金属アンテナ１０３ｂとの間の距離が、トラック間隔Ｔｐに対して誤差を有して製造されている場合であっても、第１の金属アンテナ１０３ａ及び第２の金属アンテナ１０３ｂはそれぞれ正しくトラックを追従できる。また、情報記録再生装置の組み立て誤差によりスライダ１００がディスク１０４の垂直方向を軸に回転して取り付けられ、第１の金属アンテナ１０３ａと第２の金属アンテナ１０３ｂとの間の距離がトラック間隔Ｔｐと同じであるにもかかわらずディスク半径方向における第１の金属アンテナ１０３ａと第２の金属アンテナ１０３ｂとの間の距離がトラック間隔Ｔｐからずれている場合であっても、第１の金属アンテナ１０３ａ及び第２の金属アンテナ１０３ｂはそれぞれ正しくトラックを追従できる。さらに、ディスク１０４のトラック間隔Ｔｐが正しいトラック間隔Ｔｐに対して誤差を有している場合であっても、第１の金属アンテナ１０３ａ及び第２の金属アンテナ１０３ｂはそれぞれ正しくトラックを追従できる。
【００６１】
したがって、一つのスライダ上に記録素子と再生素子とが配置され、それぞれの素子を各々トラックに追従させる情報記録再生装置において、記録素子と再生素子とは、それぞれのトラック制御によって各々正しくトラックを追従することが可能となる。その結果、情報記録再生装置の記録性能及び再生性能を向上させることができる。
【００６２】
また、本実施の形態１の情報記録再生装置では、第１の金属アンテナ１０３ａ及び第２の金属アンテナ１０３ｂは、半径方向に互いに隣接するトラックに対して追従するようにスライダ１００上に配置される。したがって、一つのスライダ上に記録素子と再生素子とが配置され、それぞれの素子を各々トラックに追従させる情報記録再生装置において、スライダ１００は、記録素子と再生素子とを搭載しつつ小型にすることが可能となり、情報記録再生装置の製造コストを低減することができる。
【００６３】
次に、第１の金属アンテナ１０３ａによる情報の記録について説明する。
【００６４】
ホストコンピュータ１２３は、記録データ信号をＬＤ駆動部１２４に出力する。ＬＤ駆動部１２４は、入力された記録データ信号の変調に応じてレーザ素子駆動信号を第１の半導体レーザ素子１０１ａに出力する。第１の半導体レーザ素子１０１ａは、入力されたレーザ素子駆動信号に応じて光を出射する。第１の半導体レーザ素子１０１ａから出射された光は、第１の導波路１０２ａを経て第１の金属アンテナ１０３ａに導かれ、プラズモン共鳴を励起する。プラズモン共鳴により、三角形状の第１の金属アンテナ１０３ａの先端近傍における光電場強度は増強される。これにより、第１の金属アンテナ１０３ａに対向するセル１０５の記録膜を構成する相変化材料は、結晶相からアモルファス相に変化する。
【００６５】
以上により、第１の金属アンテナ１０３ａによってプラズモン共鳴を利用して、ディスク１０４上のセル１０５に対する情報の記録が実現できる。
【００６６】
次に、第２の金属アンテナ１０３ｂによる情報の再生について説明する。
【００６７】
ホストコンピュータ１２３は、再生用パワーで光を照射するための再生発光信号をＬＤ駆動部１２４に出力する。ＬＤ駆動部１２４は、入力された再生発光信号に応じてレーザ素子駆動信号を第２の半導体レーザ素子１０１ｂに出力する。第２の半導体レーザ素子１０１ｂは、入力されたレーザ素子駆動信号に応じて光を出射する。第２の半導体レーザ素子１０１ｂから出射された光は、第２の導波路１０２ｂを経て第２の金属アンテナ１０３ｂに導かれ、プラズモン共鳴を励起する。第２の金属アンテナ１０３ｂによって反射された光は、第２の導波路１０２ｂを経て第２の受光素子１０６ｂに入射する。第２の受光素子１０６ｂは、第２の金属アンテナ１０３ｂからの反射光強度に応じた検出信号Ｓｂを出力する。
【００６８】
第２の金属アンテナ１０３ｂの反射光強度を表す検出信号Ｓｂは、二値化部１２５に入力される。ここで、第１の金属アンテナ１０３ａ及び第２の金属アンテナ１０３ｂは、セル１０５の記録膜を構成する相変化材料が結晶相であるかアモルファス相であるかによって共鳴状態の強弱が変化するように設計されている。したがって、検出信号Ｓｂに対し、所定レベルと比較することで二値化信号を生成することができる。
【００６９】
二値化部１２５は、入力された検出信号Ｓｂを二値化し、二値化データ信号をホストコンピュータ１２３へ出力する。
【００７０】
以上により、第２の金属アンテナ１０３ｂによってプラズモン共鳴を利用して、ディスク１０４上のセル１０５に対する情報の再生が実現できる。
【００７１】
また、ホストコンピュータ１２３は、第１の金属アンテナ１０３ａ（記録素子）によって記録された情報を第２の金属アンテナ１０３ｂ（再生素子）によって記録動作と並行して再生することにより、第１の金属アンテナ１０３ａによる記録が正しく行われたか否かを確認する。
【００７２】
以上説明したように、本実施の形態１の情報記録再生装置では、第１の金属アンテナ１０３ａによりトラック上のセル１０５に対して情報が記録され、第２の金属アンテナ１０３ｂによりトラック上のセル１０５から情報が再生される。また、トラック制御により、第１の金属アンテナ１０３ａ及び第２の金属アンテナ１０３ｂは、半径方向に互いに隣接するトラックに対してそれぞれ追従する。ディスク１０４においては、図２における紙面左のトラックから紙面右のトラックへ順に情報が記録されるとともに、情報が再生される。
【００７３】
これにより、本実施の形態１の情報記録再生装置では、第１の金属アンテナ１０３ａによって情報を記録しつつ、ディスク１０４が１回転した後に、情報を記録したトラックから第２の金属アンテナ１０３ｂによって情報を再生することができる。そのため、情報を記録する際に正しく記録動作が行われたかどうか確認するベリファイ動作を、情報の記録とほぼ同時に行うことができる。
【００７４】
したがって、一つのスライダ上に記録素子と再生素子とが配置され、それぞれの素子を半径方向に互いに隣接するトラックに追従させる情報記録再生装置において、情報の記録と並行して記録された情報を再生することで記録動作と同時にベリファイ動作を行うことができる。そのため、ベリファイ動作の所要時間を短縮することが可能となり、その結果、情報記録再生装置の装置性能を低下させることなく、記録信頼性を向上させることができる。
【００７５】
なお、本実施の形態１においては、アームモータ１２０及びヒータ１０７は、記録素子と再生素子とをディスク半径方向に互いに隣接するトラックに追従させているが、本発明は特にこれに限定されることはない。すなわち、アームモータ１２０及びヒータ１０７は、記録素子と再生素子とをディスク半径方向に２つ以上離れたトラックに追従させてもよく、この場合、上記と同様の効果が得られる。
【００７６】
なお、本実施の形態１においては、ＴＥ信号ＴＥａとアームモータ１２０（ヘッド移動部）とによって第１の金属アンテナ１０３ａ（記録素子）のトラック制御が行われ、ＴＥ信号ＴＥｂとヒータ１０７（素子間距離可変部）とによって第２の金属アンテナ１０３ｂ（再生素子）のトラック制御が行われるが、本発明は特にこれに限定されず、ＴＥ信号ＴＥａとヒータ１０７（素子間距離可変部）とによって第１の金属アンテナ１０３ａ（記録素子）のトラック制御が行われ、ＴＥ信号ＴＥｂとアームモータ１２０（ヘッド移動部）とによって第２の金属アンテナ１０３ｂ（再生素子）のトラック制御が行われてもよく、この場合、上記と同様の効果が得られる。
【００７７】
なお、本実施の形態１においては、情報を記録するのと並行して記録された情報を再生することで記録動作と同時にベリファイ動作が行われるとしているが、記録動作が行われない場合、二値化部を用いて記録素子である第１の金属アンテナ１０３ａで情報を再生してもよい。以下に、その情報記録再生装置の構成及び動作について説明する。
【００７８】
情報記録再生装置は、図１の構成に加えて第２の二値化部をさらに備える。第２の二値化部は、第１の金属アンテナ１０３ａから出力された検出信号Ｓａを二値化し、二値化データ信号をホストコンピュータ１２３へ出力する。
【００７９】
上記の情報記録再生装置では、ホストコンピュータ１２３は、再生発光信号をＬＤ駆動部１２４へ出力する。ＬＤ駆動部１２４は、入力された再生発光信号に応じてレーザ素子駆動信号を第１の半導体レーザ素子１０１ａに出力する。第１の半導体レーザ素子１０１ａは、入力されたレーザ素子駆動信号によって再生発光レベルの光を出射する。第１の金属アンテナ１０３ａの反射光強度である検出信号Ｓａは、第２の二値化部に入力される。第２の二値化部は、入力された検出信号Ｓａを二値化し、二値化データ信号をホストコンピュータ１２３へ出力する。
【００８０】
以上により、第１の金属アンテナ１０３ａによってプラズモン共鳴を利用して、ディスク１０４上のセル１０５から情報を再生することができる。
【００８１】
以上説明したように、上記の情報記録再生装置では、第１の金属アンテナ１０３ａ及び第２の金属アンテナ１０３ｂにより隣り合う２本のトラック上のセル１０５から同時に情報が再生される。これにより、第２の金属アンテナ１０３ｂのみで情報が再生される場合に比べて２倍の速度で情報を再生することが可能となる。その結果、情報記録再生装置の再生性能を向上させることができる。
【００８２】
なお、本実施の形態１においては、情報を記録するのと並行して記録された情報を再生することで記録動作と同時にベリファイ動作が行われるとしているが、記録動作と同時にベリファイ動作が行われない場合、ＬＤ駆動部を用いて再生素子である第２の金属アンテナ１０３ｂで情報を記録してもよい。以下に、その情報記録再生装置の構成及び動作とについて説明する。
【００８３】
情報記録再生装置は、図１の構成に加えて第２のＬＤ駆動部をさらに備える。第２のＬＤ駆動部は、ホストコンピュータ１２３から出力された記録データ信号の変調に応じてレーザ素子駆動信号を第２の半導体レーザ素子１０１ｂに出力する。
【００８４】
上記の情報記録再生装置では、ホストコンピュータ１２３は、記録データ信号を第２のＬＤ駆動部に出力する。第２のＬＤ駆動部は、入力された記録データ信号の変調に応じてレーザ素子駆動信号を第２の半導体レーザ素子１０１ｂに出力する。第２の半導体レーザ素子１０１ｂは、入力されたレーザ素子駆動信号に応じて光を出射する。第２の半導体レーザ素子１０１ｂから出射された光は、第２の導波路１０２ｂを経て第２の金属アンテナ１０３ｂに導かれ、プラズモン共鳴を励起する。プラズモン共鳴により、三角形状の第２の金属アンテナ１０３ｂの先端近傍における光電場強度は増強される。これにより、第２の金属アンテナ１０３ｂに対向するセル１０５の記録膜を構成する相変化材料は、結晶相からアモルファス相に変化する。
【００８５】
以上により、第２の金属アンテナ１０３ｂによってプラズモン共鳴を利用して、ディスク１０４上のセル１０５に対する情報の記録が実現できる。
【００８６】
以上説明したように、上記の情報記録再生装置では、第１の金属アンテナ１０３ａ及び第２の金属アンテナ１０３ｂにより隣り合う２本のトラック上のセル１０５に対して同時に情報が記録される。これにより、第１の金属アンテナ１０３ａのみで情報が記録される場合に比べて２倍の速度で情報を記録することが可能となる。その結果、情報記録再生装置の記録性能を向上させることができる。
【００８７】
なお、本実施の形態１においては、第１の金属アンテナ１０３ａ、第２の金属アンテナ１０３ｂ及びヒータ１０７は、図２に示すように、ディスク半径方向に並んでスライダ１００に配置されているが、以下の配置にしてもよい。
【００８８】
図６は、本実施の形態１の第１の変形例の情報記録再生装置におけるスライダの構成を示す模式図である。図６では、図２と同様の構成には同じ符号を付し、その説明を省略する。
【００８９】
図６に示すように、スライダ２００は、三角形状の第１の金属アンテナ２０３ａ、三角形状の第２の金属アンテナ２０３ｂ及びヒータ２０７を備える。
【００９０】
第１の金属アンテナ２０３ａ及び第２の金属アンテナ２０３ｂは、三角形状の先端がセル１０５の表面に最も近接するようにスライダ２００に配置されている。加えて、第１の金属アンテナ２０３ａ及び第２の金属アンテナ２０３ｂは、第１の金属アンテナ２０３ａの先端と第２の金属アンテナ２０３ｂの先端とが所定の距離だけ離れて同一のディスク半径位置のトラックに位置するように紙面上方から第２の金属アンテナ２０３ｂ及び第１の金属アンテナ２０３ａの順にスライダ２００に配置されている。すなわち、ディスク上の情報が記録又は再生される位置に対し、第１の金属アンテナ２０３ａが到達した後に第２の金属アンテナ２０３ｂが到達するように、第１の金属アンテナ２０３ａと第２の金属アンテナ２０３ｂとが同一ヘッド上に配置されている。また、ヒータ２０７は、第２の金属アンテナ２０３ｂに対し、ディスク半径方向に配置されている。
【００９１】
アームモータ１２０とヒータ２０７とは、第１の金属アンテナ２０３ａ（第１の素子）と第２の金属アンテナ２０３ｂ（第２の素子）とを同じトラックに追従させる。また、第１の金属アンテナ２０３ａ（記録素子）と第２の金属アンテナ２０３ｂ（再生素子）とは、記録動作又は再生動作を行う際に、ディスク１０４上の情報を記録又は再生する位置に対し、第１の金属アンテナ２０３ａが到達した後に第２の金属アンテナ２０３ｂが到達するように配置されている。
【００９２】
スライダ２００は、第１の半導体レーザ素子１０１ａ、第２の半導体レーザ素子１０１ｂ、第１の導波路１０２ａ、第２の導波路１０２ｂ、第１の金属アンテナ２０３ａ、第２の金属アンテナ２０３ｂ、第１の受光素子１０６ａ、第２の受光素子１０６ｂ及びヒータ２０７を備える。
【００９３】
なお、本実施の形態１の第１の変形例において、第１の金属アンテナ２０３ａが第１の素子及び記録素子の一例に相当し、第２の金属アンテナ２０３ｂが第２の素子及び再生素子の一例に相当し、スライダ２００がヘッドの一例に相当し、ヒータ２０７が素子間距離可変部の一例に相当する。
【００９４】
ここで、第１の金属アンテナ２０３ａの先端と第２の金属アンテナ２０３ｂの先端との距離について説明する。
【００９５】
本情報記録再生装置では、第１の金属アンテナ２０３ａにより情報が記録されるのに並行して、記録された情報が第２の金属アンテナ２０３ｂにより再生される。また、セル１０５の記録膜は相変化材料で構成される。セル１０５に光が照射されてマーク（アモルファス相）又はスペース（結晶相）が生成されるためには、プラズモン共鳴により増強された光電場による熱によって相変化が開始してから完了するまでの反応時間が必要となる。したがって、第１の金属アンテナ２０３ａの先端と第２の金属アンテナ２０３ｂの先端とは、上記の反応時間とディスク１０４の回転数とから決定される距離以上離れている必要がある。
【００９６】
そのため、第１の金属アンテナ２０３ａ（記録素子）と第２の金属アンテナ２０３ｂ（再生素子）とは、記録動作を行う時にディスク１０４の記録膜の変化が開始してから終了するまでの時間と、ディスク１０４の回転数とに基づいて決定される距離以上離れて配置されている。
【００９７】
以上説明したように、本実施の形態１の第１の変形例の情報記録再生装置では、第１の金属アンテナ２０３ａと第２の金属アンテナ２０３ｂとは、同一のディスク半径位置のトラックに対して追従するようにスライダ２００上に配置されている。また、第１の金属アンテナ２０３ａの先端と、第２の金属アンテナ２０３ｂの先端との距離は、少なくとも、情報を記録するのに並行して、記録された情報を再生するために必要な距離となっている。
【００９８】
したがって、一つのスライダ上に記録素子と再生素子とが配置され、それぞれの素子を同一のディスク半径位置に追従させる情報記録再生装置において、情報の記録と並行して記録された情報を再生することで記録動作と同時にベリファイ動作を行うことができるため、ベリファイ動作の所要時間を短縮することが可能となる。その結果、情報記録再生装置の装置性能を低下させることなく、記録信頼性を向上させることができる。
【００９９】
また、スライダ２００は、記録素子と再生素子とを搭載しつつ小型にすることが可能となり、情報記録再生装置の製造コストを低減することができる。
【０１００】
次に、本実施の形態１の第２の変形例における情報記録再生装置について説明する。図７は、本実施の形態１の第２の変形例の情報記録再生装置におけるスライダの構成を示す模式図である。図７では、図２と同様の構成には同じ符号を付し、その説明を省略する。
【０１０１】
図７に示すように、スライダ３００は、第１の半導体レーザ素子１０１ａ、第２の半導体レーザ素子１０１ｂ、第１の導波路１０２ａ、第２の導波路１０２ｂ、第１の金属アンテナ１０３ａ、第２の金属アンテナ１０３ｂ、第１の受光素子１０６ａ、第２の受光素子１０６ｂ、第１のヒータ３０７ａ及び第２のヒータ３０７ｂを備える。
【０１０２】
第１の金属アンテナ１０３ａ及び第２の金属アンテナ１０３ｂは、三角形状の先端がセル１０５の表面に最も近接するようにスライダ２００に配置されている。第１の金属アンテナ１０３ａ及び第２の金属アンテナ１０３ｂは、ディスク半径方向に並んで配置される。加えて、第１の金属アンテナ１０３ａ及び第２の金属アンテナ１０３ｂは、第１の金属アンテナ１０３ａの先端と第２の金属アンテナ１０３ｂの先端とがディスク半径方向にトラック間隔Ｔｐだけ離れた位置になるように紙面左方から第２の金属アンテナ１０３ｂ及び第１の金属アンテナ１０３ａの順にスライダ３００に配置されている。
【０１０３】
第１のヒータ３０７ａは、第１の金属アンテナ１０３ａに対して紙面左方向（スライダ３００が移動する方向の逆方向）に配置される。第２のヒータ３０７ｂは、第２の金属アンテナ１０３ｂに対して紙面右方向（スライダ３００が移動する方向）に配置される。
【０１０４】
なお、スライダ３００は、第１のヒータ３０７ａ及び第２のヒータ３０７ｂのいずれか一方のみを備えてもよい。
【０１０５】
上記のように、第１の金属アンテナ１０３ａと第２の金属アンテナ１０３ｂとの間にはヒータがないので、第１の金属アンテナ１０３ａと第２の金属アンテナ１０３ｂとの間の距離をより狭くすることができ、トラックピッチが狭い高密度のディスクに情報を記録又は再生することができる。
【０１０６】
次に、本実施の形態１の第３の変形例における情報記録再生装置について説明する。図８は、本実施の形態１の第３の変形例の情報記録再生装置におけるスライダの構成を示す模式図である。図８では、図２及び図７と同様の構成には同じ符号を付し、その説明を省略する。
【０１０７】
図８に示すように、スライダ３０１は、第１の半導体レーザ素子１０１ａ、第２の半導体レーザ素子１０１ｂ、第１の導波路１０２ａ、第２の導波路１０２ｂ、第１の金属アンテナ１０３ａ、第２の金属アンテナ１０３ｂ、第１の受光素子１０６ａ、第２の受光素子１０６ｂ、第１のヒータ３０７ａ及び第２のヒータ３０７ｂを備える。
【０１０８】
第１の金属アンテナ１０３ａ及び第２の金属アンテナ１０３ｂは、三角形状の先端がセル１０５の表面に最も近接するようにスライダ２００に配置されている。第１の金属アンテナ１０３ａ及び第２の金属アンテナ１０３ｂは、ディスク半径方向に並んで配置される。加えて、第１の金属アンテナ１０３ａ及び第２の金属アンテナ１０３ｂは、第１の金属アンテナ１０３ａの先端と第２の金属アンテナ１０３ｂの先端とがディスク半径方向にトラック間隔Ｔｐだけ離れた位置になるように紙面左方から第２の金属アンテナ１０３ｂ及び第１の金属アンテナ１０３ａの順にスライダ３０１に配置されている。
【０１０９】
第１のヒータ３０７ａは、第１の金属アンテナ１０３ａに対して紙面左方向（スライダ３００が移動する方向の逆方向）に配置される。第２のヒータ３０７ｂは、第２の金属アンテナ１０３ｂに対して紙面右方向（スライダ３００が移動する方向）に配置される。
【０１１０】
第１の金属アンテナ１０３ａと第２の金属アンテナ１０３ｂとの間には、切り欠き部３０２が形成されている。切り欠き部３０２は、第１の金属アンテナ１０３ａ及び第２の金属アンテナ１０３ｂを有する基板上の一部を切り欠くことにより形成される。
【０１１１】
上記のように、第１の金属アンテナ１０３ａと第２の金属アンテナ１０３ｂとの間に切り欠き部３０２が形成されることにより、第１のヒータ３０７ａからの熱が、第２の金属アンテナ１０３ｂ側に伝わることがなく、第２のヒータ３０７ｂからの熱が、第１の金属アンテナ１０３ａ側に伝わることがない。そのため、第１のヒータ３０７ａは、第１の金属アンテナ１０３ａのみをディスク半径方向に移動させることができ、第２のヒータ３０７ｂは、第２の金属アンテナ１０３ｂのみをディスク半径方向に移動させることができる。
【０１１２】
なお、スライダ３０１は、第１のヒータ３０７ａ及び第２のヒータ３０７ｂのいずれか一方のみを備えてもよい。
【０１１３】
なお、本実施の形態１においては、記録素子に金属アンテナを用いることでプラズモン共鳴を励起し、パターンド媒体であるディスク１０４上のセル１０５における記録膜の相変化材料を相変化させることで情報を記録し、再生素子に金属アンテナを用いることで、セル１０５における記録膜の相変化材料の相状態をプラズモン共鳴状態の強弱として検出することにより情報を再生している。しかしながら、情報を記録又は再生する方法及びディスクの構造は、上記に限定されることはない。すなわち、情報記録再生装置の記録方式は、ハードディスクドライブで用いられるような磁気素子と磁気ディスクとを用いた磁気記録方式等であってもよく、この場合、上記と同様の効果が得られる。
【０１１４】
なお、本実施の形態１においては、素子間距離可変部としてヒータが用いられ、ヒータの発熱により熱量変化に応じた周囲の膨張収縮を利用して記録素子と再生素子とのディスク半径方向の距離を可変させているが、本発明は特にこれに限定されることはない。すなわち、例えば圧電素子等を用いて記録素子と再生素子とのディスク半径方向の距離を可変させてもよく、この場合、上記と同様の効果が得られる。
【０１１５】
なお、本実施の形態１の第１及び第２のトラック位置ずれ検出部において、ＴＥ信号は、ディスク１０４における離散的なサーボ領域１１１を金属アンテナが通過する際に得られる検出信号から生成されるが、本発明は特にこれに限定されることはない。すなわち、例えば記録素子又は再生素子のトラック中心に対する位置ずれを示すＴＥ信号は、データ領域１１０において連続的に得られる検出信号から生成してもよく、この場合、上記と同様の効果が得られる。
【０１１６】
なお、本実施の形態１においては、二値化部を用いて信号が再生されるが、本発明は特にこれに限定されるものではない。すなわち、例えば波形等化回路等を用いて信号が再生される構成としてもよい。
【０１１７】
なお、本実施の形態１においては、ディスク１０４の回転方向は、図２の紙面下方から紙面上方に向かう方向とし、ディスク１０４におけるトラックの記録方向は、図２の紙面左方から紙面右方に向かう方向としているが、本発明は特にこれに限定されることはない。すなわち、ディスクの回転方向とトラックの記録方向とに対して、スライダ上における記録素子と再生素子との配置が、本実施の形態１と定性的に同じであればよく、この場合、上記と同様の効果が得られる。
【０１１８】
（実施の形態２）
実施の形態２においては、情報装置の一例として情報記録再生装置を挙げて説明する。また、情報担体の一例としてディスクを挙げて説明する。また、第１の素子の一例として、情報担体に対して情報を記録するための記録素子を挙げて説明する。また、第２の素子の一例として、情報担体から情報を再生するための再生素子を挙げて説明する。
【０１１９】
図９は、本発明の実施の形態２における情報記録再生装置の構成を示すブロック図である。図１０は、図９におけるスライダ４００の構成の一例を示す模式図である。なお、実施の形態２において、実施の形態１と同様の構成には同じ符号を付し、その説明を省略する。
【０１２０】
図９に示す情報記録再生装置は、スライダ４００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４及び二値化部１２５を備える。
【０１２１】
図１０に示すように、スライダ４００は、三角形状の第１の金属アンテナ４０３ａ、三角形状の第２の金属アンテナ４０３ｂ及びヒータ１０７を備える。第１の金属アンテナ４０３ａ及び第２の金属アンテナ４０３ｂは、それぞれ三角形状の先端がセル１０５の表面に最も近接するようにスライダ４００に配置されている。加えて、第１の金属アンテナ４０３ａ及び第２の金属アンテナ４０３ｂは、第１の金属アンテナ４０３ａの先端と第２の金属アンテナ４０３ｂの先端とがディスク半径方向にトラック間隔Ｔｐだけ離れた位置になるように紙面左方から第１の金属アンテナ４０３ａ及び第２の金属アンテナ４０３ｂの順にスライダ４００に配置されている。また、ヒータ１０７は、第１の金属アンテナ４０３ａと第２の金属アンテナ４０３ｂとの間に配置されている。
【０１２２】
スライダ４００は、第１の半導体レーザ素子１０１ａ、第２の半導体レーザ素子１０１ｂ、第１の導波路１０２ａ、第２の導波路１０２ｂ、第１の金属アンテナ４０３ａ、第２の金属アンテナ４０３ｂ、第１の受光素子１０６ａ、第２の受光素子１０６ｂ及びヒータ１０７を備える。
【０１２３】
第１の金属アンテナ４０３ａ（記録素子）と第２の金属アンテナ４０３ｂ（再生素子）とは、記録動作又は再生動作を行う際に、ディスク１０４上の情報を記録又は再生する位置に対し、第２の金属アンテナ４０３ｂが到達した後に第１の金属アンテナ４０３ａが到達するように配置されている。ホストコンピュータ１２３は、第２の金属アンテナ４０３ｂ（再生素子）によって再生された情報を第１の金属アンテナ４０３ａ（記録素子）によって再生動作と並行して記録することにより、ディスク１０４に記録されていた情報を上書きする。
【０１２４】
なお、本実施の形態２において、第１の金属アンテナ４０３ａが第１の素子及び記録素子の一例に相当し、第２の金属アンテナ４０３ｂが第２の素子及び再生素子の一例に相当し、スライダ４００がヘッドの一例に相当し、ホストコンピュータ１２３が上書き処理部の一例に相当する。
【０１２５】
以上のように構成された情報記録再生装置の動作について説明する。
【０１２６】
第２の金属アンテナ４０３ｂの反射光強度である検出信号Ｓｂは、第２のトラック位置ずれ検出部１０９ｂと二値化部１２５とに入力される。二値化部１２５は、入力された検出信号Ｓｂを二値化し、二値化データ信号をホストコンピュータ１２３へ出力する。ホストコンピュータ１２３は、入力された二値化データ信号をディスク１０４の１回転分の時間遅延させて記録データ信号としてＬＤ駆動部１２４に出力する。これにより、ディスク１０４に既に記録されていた情報が、ディスク１０４の同一位置に上書きされる。
【０１２７】
以上により、ディスク１０４に既に記録されていた情報をディスク１０４の同一位置に上書きするリフレッシュ記録動作が行われる場合、ディスク１０４から情報を再生し、ディスク１０４が１回転した後、ディスク１０４から再生した情報を、ディスク１０４の再生位置と同じ位置に記録することができる。
【０１２８】
以上説明したように、本実施の形態２の情報記録再生装置では、第２の金属アンテナ４０３ｂによりトラック上のセル１０５から情報が再生され、第１の金属アンテナ４０３ａによりトラック上のセル１０５に対して情報が記録される。また、トラック制御により、第１の金属アンテナ４０３ａ及び第２の金属アンテナ４０３ｂは、半径方向に互いに隣接するトラックに対してそれぞれ追従し、情報は、図１０における紙面左のトラックから紙面右のトラックへ順に再生及び記録される。
【０１２９】
これにより、本実施の形態２の情報記録再生装置では、第２の金属アンテナ４０３ｂによって情報を再生しつつ、ディスク１０４が１回転した後に、情報が再生されたトラックに対し第１の金属アンテナ４０３ａによって情報を記録することができる。そのため、ディスクに記録された情報を改めて上書き記録するリフレッシュ記録動作を、情報の再生とほぼ同時に行うことができる。
【０１３０】
したがって、一つのスライダ上に再生素子と記録素子とが配置され、それぞれの素子を半径方向に互いに隣接するトラックに追従させる情報記録再生装置において、情報の再生と並行して再生された情報をディスク１０４の再生位置と同じ位置に記録することができる。そのため、過去に記録した情報を改めて記録し直す上書き記録動作の所要時間を短縮することが可能となる。その結果、情報記録再生装置の性能を低下させることなく、記録済み情報の信頼性を向上させることができる。
【０１３１】
なお、本実施の形態２においては、アームモータ１２０及びヒータ１０７は、再生素子と記録素子とをディスク半径方向に互いに隣接するトラックに追従させているが、本発明は特にこれに限定されず、アームモータ１２０及びヒータ１０７は、記録素子と再生素子とをディスク半径方向に２つ以上離れたトラックに追従させてもよく、この場合、上記と同様の効果が得られる。
【０１３２】
なお、本実施の形態２においては、ＴＥ信号ＴＥａとアームモータ１２０（ヘッド移動部）とによって第１の金属アンテナ４０３ａ（記録素子）のトラック制御が行われ、ＴＥ信号ＴＥｂとヒータ１０７（素子間距離可変部）とによって第２の金属アンテナ４０３ｂ（再生素子）のトラック制御が行われるが、本発明は特にこれに限定されず、ＴＥ信号ＴＥａとヒータ１０７（素子間距離可変部）とによって第１の金属アンテナ４０３ａ（記録素子）のトラック制御が行われ、ＴＥ信号ＴＥｂとアームモータ１２０（ヘッド移動部）とによって第２の金属アンテナ４０３ｂ（再生素子）のトラック制御が行われてもよく、この場合、上記と同様の効果が得られる。
【０１３３】
なお、本実施の形態２においては、リフレッシュ記録動作を行う場合に、ホストコンピュータ１２３は、二値化データ信号をＬＤ駆動部１２４へ出力しているが、本発明は特にこれに限定されず、以下のように構成してもよい。すなわち、ディスク１０４から再生した情報の再生信号品質を示す指標を用いてリフレッシュ記録動作が必要であるか否かが判断される。そして、ホストコンピュータ１２３は、リフレッシュ記録動作が必要であると判断された場合に、二値化データ信号をＬＤ駆動部１２４へ出力してもよい。
【０１３４】
以下に、本実施の形態２の第１の変形例における情報記録再生装置の動作について図１１を用いて説明する。
【０１３５】
図１１は、本実施の形態２の第１の変形例における情報記録再生装置の構成を示すブロック図である。本実施の形態２の第１の変形例において、情報記録再生装置は、ディスク１０４に記録された情報を再生し、再生した情報の再生信号品質を示す指標を用いてリフレッシュ記録動作の必要性を判断し、リフレッシュ記録動作が必要であると判断された場合に、リフレッシュ記録動作を行う。図１１において、図９と同様の構成には同じ符号を付し、その説明を省略する。
【０１３６】
図１１に示す情報記録再生装置は、スライダ４００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４、二値化部１２５、変調度測定部１２６及びマイクロコンピュータ１２７を備える。
【０１３７】
変調度測定部１２６は、ディスク１０４に記録されていた情報を再生した際に得られる再生信号の変調度を測定する。
【０１３８】
マイクロコンピュータ１２７は、ディスク１０４に記録されていた情報を第２の金属アンテナ４０３ｂ（再生素子）によって再生し、変調度測定部１２６からの測定結果に基づいて、ディスク１０４に記録されていた情報の記録品質を判断する。なお、マイクロコンピュータ１２７は、変調度測定部１２６によって測定された変調度と、所定の閾値とを比較し、変調度が所定の閾値を越えていない場合、ディスク１０４に記録されていた情報の記録品質が良好であると判断し、変調度が所定の閾値を越えている場合、ディスク１０４に記録されていた情報の記録品質が悪いと判断する。
【０１３９】
ホストコンピュータ１２３は、マイクロコンピュータ１２７によって記録品質が悪いと判断された場合、第２の金属アンテナ４０３ｂ（再生素子）によって再生された情報を、ディスク１０４において記録されていた位置に第１の金属アンテナ４０３ａ（記録素子）によって再生動作と並行して記録することにより、ディスク１０４に記録されていた情報を上書きする。
【０１４０】
なお、本実施の形態２の第１の変形例において、変調度測定部１２６が再生信号品質測定部の一例に相当し、マイクロコンピュータ１２７が記録品質判断部の一例に相当し、ホストコンピュータ１２３が上書き処理部の一例に相当する。
【０１４１】
以上のように構成された本実施の形態２の第１の変形例における情報記録再生装置の動作について説明する。
【０１４２】
第２の金属アンテナ４０３ｂの反射光強度である検出信号Ｓｂは、第２のトラック位置ずれ検出部１０９ｂ、二値化部１２５及び変調度測定部１２６に入力される。変調度測定部１２６は、入力された検出信号Ｓｂの変調度を測定し、測定した変調度をマイクロコンピュータ１２７へ出力する。マイクロコンピュータ１２７は、入力された変調度から、記録されていた信号の記録品質を確認し、記録品質が悪い場合にはリフレッシュ記録が必要であると判断する。リフレッシュ記録が必要であると判断された場合、マイクロコンピュータ１２７は、ホストコンピュータ１２３に対してリフレッシュ記録の実行を促す通知信号を出力する。ホストコンピュータ１２３は、通知信号が入力されると、リフレッシュ記録動作を実行する。
【０１４３】
以上により、ディスク１０４に記録された情報を再生することにより得られた再生信号の変調度に基づいて再生信号の記録品質が判断され、再生信号の記録品質が悪い場合にリフレッシュ記録動作が実行される。
【０１４４】
したがって、一つのスライダ上に再生素子と記録素子とが配置され、それぞれの素子を半径方向に互いに隣接するトラックに追従させる情報記録再生装置において、情報を再生した際に信号の記録品質に応じて情報を改めて記録し直す上書き記録動作を実行することが可能となる。その結果、情報記録再生装置の性能を低下させることなく、記録済み情報の信頼性を向上させることができる。
【０１４５】
なお、本実施の形態２においては、情報を再生するのと並行して再生された情報をディスクの再生位置と同じ位置に記録することで再生動作と同時にリフレッシュ記録動作が行われるとしているが、リフレッシュ記録動作が行われない場合、二値化部を用いて記録素子である第１の金属アンテナ４０３ａで情報を再生してもよい。以下に、その情報記録再生装置の構成及び動作について説明する。
【０１４６】
情報記録再生装置は、図９の構成に加えて第２の二値化部をさらに備える。第２の二値化部は、第１の金属アンテナ４０３ａから出力された検出信号Ｓａを二値化し、二値化データ信号をホストコンピュータ１２３へ出力する。
【０１４７】
上記の情報記録再生装置では、ホストコンピュータ１２３は、再生発光信号をＬＤ駆動部１２４へ出力する。ＬＤ駆動部１２４は、入力された再生発光信号に応じてレーザ素子駆動信号を第１の半導体レーザ素子１０１ａに出力する。第１の半導体レーザ素子１０１ａは、入力されたレーザ素子駆動信号によって再生発光レベルの光を出射する。第１の金属アンテナ４０３ａの反射光強度である検出信号Ｓａは、第２の二値化部に入力される。第２の二値化部は、入力された検出信号Ｓａを二値化し、二値化データ信号をホストコンピュータ１２３へ出力する。
【０１４８】
以上により、第１の金属アンテナ４０３ａによってプラズモン共鳴を利用して、ディスク１０４上のセル１０５から情報を再生することができる。
【０１４９】
以上説明したように、上記の情報記録再生装置では、第１の金属アンテナ４０３ａ及び第２の金属アンテナ４０３ｂにより隣り合う２本のトラック上のセル１０５から同時に情報が再生される。これにより、第２の金属アンテナ４０３ｂのみで情報が再生される場合に比べて２倍の速度で情報を再生することが可能となる。その結果、情報記録再生装置の再生性能を向上させることができる。
【０１５０】
なお、本実施の形態２においては、情報を再生するのと並行して再生された情報をディスクの再生位置と同じ位置に記録することで再生動作と同時にリフレッシュ記録動作が行われるとしているが、再生動作と同時にリフレッシュ記録動作が行われない場合、ＬＤ駆動部を用いて再生素子である第２の金属アンテナ４０３ｂで情報を記録してもよい。以下に、その情報記録再生装置の構成及び動作について説明する。
【０１５１】
情報記録再生装置は、図９の構成に加えて第２のＬＤ駆動部をさらに備える。第２のＬＤ駆動部は、ホストコンピュータ１２３から出力された記録データ信号の変調に応じてレーザ素子駆動信号を第２の半導体レーザ素子１０１ｂに出力する。
【０１５２】
上記の情報記録再生装置では、ホストコンピュータ１２３は、記録データ信号を第２のＬＤ駆動部に出力する。第２のＬＤ駆動部は、入力された記録データ信号の変調に応じてレーザ素子駆動信号を第２の半導体レーザ素子１０１ｂに出力する。第２の半導体レーザ素子１０１ｂは、入力されたレーザ素子駆動信号に応じて光を出射する。第２の半導体レーザ素子１０１ｂから出射された光は、第２の導波路１０２ｂを経て第２の金属アンテナ４０３ｂに導かれ、プラズモン共鳴を励起する。プラズモン共鳴により、三角形状の第２の金属アンテナ４０３ｂの先端近傍における光電場強度は増強される。これにより、第２の金属アンテナ４０３ｂに対向するセル１０５の記録膜を構成する相変化材料は、結晶相からアモルファス相に変化する。
【０１５３】
以上により、第２の金属アンテナ４０３ｂによってプラズモン共鳴を利用して、ディスク１０４上のセル１０５に対する情報の記録が実現できる。
【０１５４】
以上説明したように、上記の情報記録再生装置では、第１の金属アンテナ４０３ａ及び第２の金属アンテナ４０３ｂにより隣り合う２本のトラック上のセル１０５に対して同時に情報が記録される。これにより、第１の金属アンテナ４０３ａのみで情報が記録される場合に比べて２倍の速度で情報を記録することが可能となる。その結果、情報記録再生装置の記録性能を向上させることできる。
【０１５５】
なお、本実施の形態２においては、情報を再生するのと並行して再生された情報をディスクの再生位置と同じ位置に記録することで再生動作と同時にリフレッシュ記録動作を行うとしているが、本発明は特にこれに限定されない。二値化部とＬＤ駆動部とを用いて２つの金属アンテナのいずれにおいても情報を記録及び再生できる構成とし、２つの金属アンテナにおける記録と再生とを切り替えてもよい。これにより、再生動作と同時にリフレッシュ記録動作を行うだけでなく、記録動作と同時にベリファイ動作を行うことができる。以下に、その情報記録再生装置の構成と、記録動作と同時にベリファイ動作を行う場合の動作とについて説明する。
【０１５６】
情報記録再生装置は、図９の構成に加えて第２の二値化部及び第２のＬＤ駆動部をさらに備える。第２の二値化部は、第１の金属アンテナ４０３ａから出力された検出信号Ｓａを二値化し、二値化データ信号をホストコンピュータ１２３へ出力する。第２のＬＤ駆動部は、ホストコンピュータ１２３から出力された記録データ信号の変調に応じてレーザ素子駆動信号を第２の半導体レーザ素子１０１ｂに出力する。
【０１５７】
上記の情報記録再生装置では、記録動作と同時にベリファイ動作を行う場合、ホストコンピュータ１２３は、記録データ信号を第２のＬＤ駆動部に出力する。第２のＬＤ駆動部は、入力された記録データ信号の変調に応じてレーザ素子駆動信号を第２の半導体レーザ素子１０１ｂに出力する。第２の半導体レーザ素子１０１ｂは、入力されたレーザ素子駆動信号に応じて光を出射する。第２の半導体レーザ素子１０１ｂから出射された光は、第２の導波路１０２ｂを経て第２の金属アンテナ４０３ｂに導かれ、プラズモン共鳴を励起する。プラズモン共鳴により、三角形状の第２の金属アンテナ４０３ｂの先端近傍における光電場強度は増強される。これにより、第２の金属アンテナ４０３ｂに対向するセル１０５の記録膜を構成する相変化材料は、結晶相からアモルファス相に変化する。
【０１５８】
以上により、第２の金属アンテナ４０３ｂによってプラズモン共鳴を利用して、ディスク１０４上のセル１０５に対する情報の記録が実現できる。
【０１５９】
また、ホストコンピュータ１２３は、再生発光信号をＬＤ駆動部１２４へ出力する。ＬＤ駆動部１２４は、入力された再生発光信号に応じてレーザ素子駆動信号を第１の半導体レーザ素子１０１ａに出力する。第１の半導体レーザ素子１０１ａは、入力されたレーザ素子駆動信号によって再生発光レベルの光を出射する。第１の金属アンテナ４０３ａの反射光強度である検出信号Ｓａは、第２の二値化部に入力される。第２の二値化部は、入力された検出信号Ｓａを二値化し、二値化データ信号をホストコンピュータ１２３へ出力する。
【０１６０】
以上により、第１の金属アンテナ４０３ａによってプラズモン共鳴を利用して、ディスク１０４上のセル１０５から情報を再生することができる。
【０１６１】
以上説明したように、上記の情報記録再生装置では、記録動作と同時にベリファイ動作が行われる場合、第２の金属アンテナ４０３ｂによって情報を記録しつつ、ディスク１０４が１回転した後に、情報を記録したトラックから第１の金属アンテナ４０３ａによって情報を再生することができる。
【０１６２】
したがって、一つのスライダ上に記録素子と再生素子とが配置され、それぞれの素子を半径方向に互いに隣接するトラックに追従させる情報記録再生装置において、情報の再生と並行して再生された情報をディスクの再生位置と同じ位置に記録するリフレッシュ記録動作と、情報の記録と並行して記録された情報を再生して情報が正しく記録されたか否かを確認するベリファイ動作とを切り替えることができる。その結果、情報記録再生装置の性能を低下させることなく、記録信頼性を向上させることができる。
【０１６３】
なお、実施の形態１においては、情報の記録と同時にベリファイ動作を行うとしているが、本実施の形態２の上記の情報記録再生装置の構成と同様に、第２の二値化部と第２のＬＤ駆動部とを用いて２つの金属アンテナのいずれにおいても情報を記録及び再生できる構成とし、２つの金属アンテナにおける記録と再生とを切り替えてもよい。これにより、記録動作と同時にベリファイ動作を行うだけでなく、再生動作と同時にリフレッシュ記録動作を行うことができる。
【０１６４】
なお、本実施の形態２においては、第１の金属アンテナ４０３ａ、第２の金属アンテナ４０３ｂ及びヒータ１０７は、図１０に示すように、ディスク半径方向に並んでスライダ４００に配置されているが、以下の配置にしてもよい。
【０１６５】
図１２は、本実施の形態２の第２の変形例の情報記録再生装置におけるスライダの構成を示す模式図である。図１２では、図１０と同様の構成には同じ符号を付し、その説明を省略する。
【０１６６】
図１２に示すように、スライダ５００は、三角形状の第１の金属アンテナ５０３ａ、三角形状の第２の金属アンテナ５０３ｂ及びヒータ５０７を備える。
【０１６７】
第１の金属アンテナ５０３ａ及び第２の金属アンテナ５０３ｂは、三角形状の先端がセル１０５の表面に最も近接するようにスライダ５００に配置されている。加えて、第１の金属アンテナ５０３ａ及び第２の金属アンテナ５０３ｂは、第１の金属アンテナ５０３ａの先端と第２の金属アンテナ５０３ｂの先端とが所定の距離だけ離れて同一のディスク半径位置のトラックに位置するように紙面上方から第１の金属アンテナ５０３ａ及び第２の金属アンテナ５０３ｂの順にスライダ５００に配置されている。すなわち、ディスク上の情報が記録又は再生される位置に対し、第２の金属アンテナ５０３ｂが到達した後に第１の金属アンテナ５０３ａが到達するように、第１の金属アンテナ５０３ａと第２の金属アンテナ５０３ｂとが同一ヘッド上に配置されている。また、ヒータ５０７は、第２の金属アンテナ５０３ｂに対し、ディスク半径方向に配置されている。
【０１６８】
アームモータ１２０とヒータ２０７とは、第１の金属アンテナ５０３ａ（第１の素子）と第２の金属アンテナ５０３ｂ（第２の素子）とを同じトラックに追従させる。また、第１の金属アンテナ５０３ａ（記録素子）と第２の金属アンテナ５０３ｂ（再生素子）とは、記録動作又は再生動作を行う際に、ディスク１０４上の情報を記録又は再生する位置に対し、第２の金属アンテナ５０３ｂが到達した後に第１の金属アンテナ５０３ａが到達するように配置されている。
【０１６９】
スライダ５００は、第１の半導体レーザ素子１０１ａ、第２の半導体レーザ素子１０１ｂ、第１の導波路１０２ａ、第２の導波路１０２ｂ、第１の金属アンテナ５０３ａ、第２の金属アンテナ５０３ｂ、第１の受光素子１０６ａ、第２の受光素子１０６ｂ及びヒータ５０７を備える。
【０１７０】
なお、本実施の形態２の第２の変形例において、第１の金属アンテナ５０３ａが第１の素子及び記録素子の一例に相当し、第２の金属アンテナ５０３ｂが第２の素子及び再生素子の一例に相当し、スライダ５００がヘッドの一例に相当し、ヒータ５０７が素子間距離可変部の一例に相当する。
【０１７１】
以上のように構成された情報記録再生装置の動作について説明する。
【０１７２】
第２の金属アンテナ５０３ｂの反射光強度である検出信号Ｓｂは、第２のトラック位置ずれ検出部１０９ｂと二値化部１２５とに入力される。二値化部１２５は、入力された検出信号Ｓｂを二値化し、二値化データ信号をホストコンピュータ１２３へ出力する。ホストコンピュータ１２３は、リフレッシュ記録動作が行われる場合、入力された二値化データ信号を記録データ信号としてＬＤ駆動部１２４に出力する。
【０１７３】
ここで、第１の金属アンテナ５０３ａの先端と第２の金属アンテナ５０３ｂの先端との距離について説明する。
【０１７４】
本構成において、リフレッシュ記録動作が行われる場合について考える。このとき、第２の金属アンテナ５０３ｂによる情報の再生に並行して、再生した情報が、第１の金属アンテナ５０３ａによりディスク１０４の再生位置と同じ位置に記録される。
【０１７５】
第２の金属アンテナ５０３ｂによる情報の再生では、第２の金属アンテナ５０３ｂからの反射光強度である検出信号Ｓｂは二値化部１２５を経て二値化信号となり、二値化信号はホストコンピュータ１２３へ入力される。以上の再生動作においては、第２の金属アンテナ５０３ｂが再生すべきセル１０５に到達してからホストコンピュータ１２３に二値化信号が入力されるまでには、一定の時間が必要となる。
【０１７６】
すなわち、再生時に必要な時間は、第２の受光素子１０６ｂと二値化部１２５とホストコンピュータ１２３とを結ぶ再生信号伝送路において信号が第２の受光素子１０６ｂから二値化部１２５に到達するとともに二値化部１２５からホストコンピュータ１２３に到達するまでに要する再生信号伝送遅延時間と、二値化部１２５において検出信号Ｓｂが電子回路等で二値化されるのに要する二値化回路遅延時間とである。
【０１７７】
また、ホストコンピュータ１２３は、入力された二値化データ信号をＬＤ駆動部１２４に出力し、ＬＤ駆動部１２４は、入力信号に応じてレーザ駆動信号を第１の半導体レーザ素子１０１ａに出力する。レーザ駆動信号に応じて第１の半導体レーザ素子１０１ａから出射された光は、第１の導波路１０２ａを経て第１の金属アンテナ５０３ａに導かれプラズモン共鳴を励起する。これにより、第１の金属アンテナ５０３ａによってディスク１０４に情報が記録される。以上の記録動作においては、ホストコンピュータ１２３が記録すべき二値化データ信号を出力してから第１の金属アンテナ５０３ａでプラズモン共鳴が励起されるまでには、一定の時間が必要となる。
【０１７８】
すなわち、記録時に必要な時間は、ホストコンピュータ１２３とＬＤ駆動部１２４と第１の半導体レーザ素子１０１ａとを結ぶ記録信号伝送路において信号がホストコンピュータ１２３からＬＤ駆動部１２４に到達するとともにＬＤ駆動部１２４から第１の半導体レーザ素子１０１ａに到達するまでに要する記録信号伝送遅延時間である。
【０１７９】
したがって、第２の金属アンテナ５０３ｂの先端と第１の金属アンテナ５０３ａの先端との距離は、再生信号伝送遅延時間と二値化回路遅延時間と記録信号伝送遅延時間との合計時間とディスク１０４の回転数とから決定される距離以上離れている必要がある。
【０１８０】
そのため、第１の金属アンテナ５０３ａ（記録素子）と第２の金属アンテナ５０３ｂ（再生素子）とは、再生信号が伝送される再生信号伝送路を再生信号が通過するのに要する再生遅延時間と再生信号を処理するのに要する回路遅延時間と記録信号が伝送される記録信号伝送路を記録信号が通過するのに要する記録遅延時間との合計時間と、ディスク１０４の回転数とに基づいて決定される距離以上離れて配置されている。
【０１８１】
以上により、リフレッシュ記録動作が行われる場合、ディスク１０４から再生した情報を、ディスク１０４の再生位置と同じ位置に記録することができる。
【０１８２】
以上説明したように、本実施の形態２の第２の変形例の構成では、第２の金属アンテナ５０３ｂ及び第１の金属アンテナ５０３ａは、同一のディスク半径位置のトラックに対して追従するようにスライダ５００上に配置されている。また、第２の金属アンテナ５０３ｂの先端と第１の金属アンテナ５０３ａの先端との距離は、少なくとも、情報の再生に並行して、再生した情報を再生位置と同じ位置に記録するために必要な距離となっている。
【０１８３】
したがって、一つのスライダ上に再生素子と記録素子とが配置され、それぞれの素子を同一のディスク半径位置に追従させる情報記録再生装置において、情報の再生と並行して、再生された情報をディスク１０４の再生位置と同じ位置に記録することができるため、過去に記録した情報を改めて記録し直す上書き記録動作の所要時間を短縮することが可能となり、その結果、情報記録再生装置の性能を低下させることなく、記録済み情報の信頼性を向上させることができる。
【０１８４】
また、スライダ５００は、記録素子と再生素子とを搭載しつつ小型にすることが可能となり、情報記録再生装置の製造コストを低減することができる。
【０１８５】
なお、本実施の形態２においては、記録素子に金属アンテナを用いることでプラズモン共鳴を励起し、パターンド媒体であるディスク１０４上のセル１０５における記録膜の相変化材料を相変化させることで情報を記録し、再生素子に金属アンテナを用いることで、セル１０５における記録膜の相変化材料の相状態をプラズモン共鳴状態の強弱として検出することにより情報を再生している。しかしながら、情報を記録又は再生する方法及びディスクの構造は、上記に限定されることはない。すなわち、情報記録再生装置の記録方式は、ハードディスクドライブで用いられるような磁気素子と磁気ディスクとを用いた磁気記録方式等であってもよく、この場合、上記と同様の効果が得られる。
【０１８６】
なお、本実施の形態２においては、素子間距離可変部としてヒータが用いられ、ヒータの発熱により熱量変化に応じた周囲の膨張収縮を利用して記録素子と再生素子とのディスク半径方向の距離を可変させているが、本発明は特にこれに限定されることはない。すなわち、例えば圧電素子等を用いて記録素子と再生素子とのディスク半径方向の距離を可変させてもよく、この場合、上記と同様の効果が得られる。
【０１８７】
なお、本実施の形態２の第１及び第２のトラック位置ずれ検出部において、ＴＥ信号は、ディスク１０４における離散的なサーボ領域１１１を金属アンテナが通過する際に得られる検出信号から生成されるが、本発明は特にこれに限定されることはない。すなわち、例えば記録素子又は再生素子のトラック中心に対する位置ずれを示すＴＥ信号は、データ領域１１０において連続的に得られる検出信号から生成してもよく、この場合、上記と同様の効果が得られる。
【０１８８】
なお、本実施の形態２においては、二値化部を用いて信号が再生されるが、本発明は特にこれに限定されるものではない。すなわち、例えば波形等化回路等を用いて信号が再生される構成としてもよい。
【０１８９】
なお、本実施の形態２においては、ディスク１０４の回転方向は、図１０の紙面下方から紙面上方に向かう方向とし、ディスク１０４におけるトラックの記録方向は、図１０の紙面左方から紙面右方に向かう方向としているが、本発明は特にこれに限定されることはない。すなわち、ディスクの回転方向とトラックの記録方向とに対して、スライダ上における記録素子と再生素子との配置が、本実施の形態２と定性的に同じであればよく、この場合、上記と同様の効果が得られる。
【０１９０】
（実施の形態３）
実施の形態３においては、情報装置の一例として情報記録再生装置を挙げて説明する。また、情報担体の一例としてディスクを挙げて説明する。また、第１の素子の一例として、情報担体に対して情報を記録するための記録素子を挙げて説明する。また、第２の素子の一例として、情報担体から情報を再生するための再生素子を挙げて説明する。
【０１９１】
図１３は、本発明の実施の形態３における情報記録再生装置の構成を示すブロック図である。なお、実施の形態３において、実施の形態１及び実施の形態２と同様の構成には同じ符号を付し、その説明を省略する。
【０１９２】
図１３に示す情報記録再生装置は、スライダ１００、サスペンションアーム１０８、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４、二値化部１２５及びマイクロコンピュータ１２８を備える。
【０１９３】
マイクロコンピュータ１２８は、第２のトラック位置ずれ検出部１０９ｂからの信号に基づいて、第１の金属アンテナ１０３ａ（記録素子）とトラックとの位置ずれを推定する。マイクロコンピュータ１２８は、スライダ１００（ヘッド）が位置するディスク１０４の半径位置に基づいて、第１の金属アンテナ１０３ａ（記録素子）とトラックとの位置ずれを推定する。
【０１９４】
なお、本実施の形態３において、マイクロコンピュータ１２８が記録トラック位置ずれ推定部の一例に相当する。
【０１９５】
以上のように構成された情報記録再生装置の動作について説明する。
【０１９６】
第２のトラック位置ずれ検出部１０９ｂは、第２の金属アンテナ１０３ｂ先端とトラック中心との位置ずれを示すＴＥ信号ＴＥｂを、ヒータ制御部１２１とマイクロコンピュータ１２８とに出力する。第２の金属アンテナ１０３ｂ先端とトラック中心との位置ずれを示すＴＥ信号ＴＥｂは、ヒータ制御部１２１とマイクロコンピュータ１２８とに入力される。
【０１９７】
マイクロコンピュータ１２８は、現在のスライダ１００が位置するディスク半径位置に基づき、第１の金属アンテナ１０３ａの先端と第２の金属アンテナ１０３ｂの先端との間の距離がトラック間隔Ｔｐからどれだけずれているかを表すずれ量を算出する。マイクロコンピュータ１２８は、算出したずれ量に応じてＴＥ信号ＴＥｂにオフセットを加えることで補正ＴＥ信号ＴＥｂｃを生成し、生成した補正ＴＥ信号ＴＥｂｃをスライダ制御部１１８へ出力する。
【０１９８】
以上の動作によって、第１の金属アンテナ１０３ａからＴＥ信号が得られない構成であっても、第２の金属アンテナ１０３ｂ先端とトラック中心との位置ずれを示すＴＥ信号ＴＥｂから推定された補正ＴＥ信号ＴＥｂｃを用いて、第１の金属アンテナ１０３ａの先端がディスク１０４のトラック中心に正しく位置するように制御するトラック制御が実現される。
【０１９９】
ここで、マイクロコンピュータ１２８における補正ＴＥ信号ＴＥｂｃの生成について説明する。
【０２００】
図１４は、本実施の形態３において、スライダをディスク半径方向に駆動させる様子を示す上面図である。図１４に示すように、サスペンションアーム１０８は、アームモータ１２０を支点として動作する。サスペンションアーム１０８の支点がディスク１０４の最外周の接線上にあると、サスペンションアーム１０８の動作によってスライダ１００は、図１４の破線で示す円弧状の軌道を描いてディスク半径方向に移動する。
【０２０１】
図１５は、スライダ１００がディスク１０４の最外周近傍に位置するときのスライダ１００、第１の金属アンテナ１０３ａ、第２の金属アンテナ１０３ｂ及びディスク１０４のトラックの関係を示す模式図である。図１６は、スライダ１００がディスク１０４の最内周近傍に位置するときのスライダ１００、第１の金属アンテナ１０３ａ、第２の金属アンテナ１０３ｂ及びディスク１０４のトラックの関係を示す模式図である。
【０２０２】
図１５に示すように、スライダ１００がディスク１０４の最外周近傍に位置するとき、サスペンションアーム１０８の支点は、ディスク１０４の最外周の接線上にある。そのため、第１の金属アンテナ１０３ａの先端及び第２の金属アンテナ１０３ｂの先端をそれぞれトラックに追従させると、第１の金属アンテナ１０３ａの先端と第２の金属アンテナ１０３ｂの先端との間の距離は、トラック間隔Ｔｐと等しくなる。
【０２０３】
一方、図１６に示すように、スライダ１００がディスク１０４の最内周近傍に位置するとき、第１の金属アンテナ１０３ａの先端及び第２の金属アンテナ１０３ｂの先端をそれぞれトラックに追従させると、第１の金属アンテナ１０３ａの先端と第２の金属アンテナ１０３ｂの先端との間の距離は、Ｔｐ／ｓｉｎθとなる。
【０２０４】
したがって、第１の金属アンテナ１０３ａの先端と第２の金属アンテナ１０３ｂの先端との間の距離のトラック間隔Ｔｐからのずれ量は、Ｔｐ−Ｔｐ／ｓｉｎθとなる。ここで、角度θは、図１６で示すように、トラックの接線と、第１の金属アンテナ１０３ａの先端と第２の金属アンテナ１０３ｂの先端とを結ぶ直線とがなす角度である。角度θは、スライダ１００の位置するディスク半径位置に応じて変化する。そのため、第１の金属アンテナ１０３ａの先端と第２の金属アンテナ１０３ｂの先端との間の距離がトラック間隔Ｔｐからずれるずれ量は、スライダ１００の位置する半径位置に基づいて算出することができる。さらに、ＴＥ信号ＴＥｂに加算するオフセットは、算出したずれ量とＴＥ信号ＴＥｂの検出感度とを用いて算出することができる。
【０２０５】
以上説明したように、本実施の形態３の情報記録再生装置では、マイクロコンピュータ１２８は、スライダ１００が位置するディスク１０４の半径位置に基づいて第１の金属アンテナ１０３ａの先端と第２の金属アンテナ１０３ｂの先端との間の距離がトラック間隔Ｔｐからずれるずれ量を算出し、算出したずれ量に応じたオフセットをＴＥ信号ＴＥｂに加えることで、第１の金属アンテナ１０３ａのトラック制御に用いる補正ＴＥ信号ＴＥｂｃを生成する。
【０２０６】
したがって、一つのスライダ上に記録素子と再生素子とが配置され、それぞれの素子を各々トラックに追従させる情報記録再生装置において、記録素子とトラックとの位置ずれを検出する記録トラック位置ずれ検出部がない場合においても、記録トラック位置ずれ推定部（マイクロコンピュータ１２８）によって記録素子とトラックとの位置ずれを推定し、記録素子と再生素子とをそれぞれのトラック制御によって各々正しくトラックを追従することが可能となる。その結果、情報記録再生装置の記録性能及び再生性能を向上させることができる。
【０２０７】
なお、本実施の形態３においては、アームモータ１２０及びヒータ１０７は、記録素子と再生素子とをディスク半径方向に互いに隣接するトラックに追従させているが、本発明は特にこれに限定されず、アームモータ１２０及びヒータ１０７は、記録素子と再生素子とをディスク半径方向に２つ以上離れたトラックに追従させてもよく、この場合、上記と同様の効果が得られる。
【０２０８】
なお、本実施の形態３においては、補正ＴＥ信号ＴＥｂｃとアームモータ１２０（ヘッド移動部）とによって第１の金属アンテナ１０３ａ（記録素子）のトラック制御が行われ、ＴＥ信号ＴＥｂとヒータ１０７（素子間距離可変部）とによって第２の金属アンテナ１０３ｂ（再生素子）のトラック制御が行われるが、本発明は特にこれに限定されず、補正ＴＥ信号ＴＥｂｃとヒータ１０７（素子間距離可変部）とによって第１の金属アンテナ１０３ａ（記録素子）のトラック制御が行われ、ＴＥ信号ＴＥｂとアームモータ１２０（ヘッド移動部）とによって第２の金属アンテナ１０３ｂ（再生素子）のトラック制御が行われてもよく、この場合、上記と同様の効果が得られる。
【０２０９】
なお、本実施の形態３においては、記録素子に金属アンテナを用いることでプラズモン共鳴を励起し、パターンド媒体であるディスク１０４上のセル１０５における記録膜の相変化材料を相変化させることで情報を記録し、再生素子に金属アンテナを用いることで、セル１０５における記録膜の相変化材料の相状態をプラズモン共鳴状態の強弱として検出することにより情報を再生している。しかしながら、情報を記録又は再生する方法及びディスクの構造は、上記に限定されることはない。すなわち、情報記録再生装置の記録方式は、ハードディスクドライブで用いられるような磁気素子と磁気ディスクとを用いた磁気記録方式等であってもよく、この場合、上記と同様の効果が得られる。
【０２１０】
なお、本実施の形態３においては、素子間距離可変部としてヒータが用いられ、ヒータの発熱により熱量変化に応じた周囲の膨張収縮を利用して記録素子と再生素子とのディスク半径方向の距離を可変させているが、本発明は特にこれに限定されることはない。すなわち、例えば圧電素子等を用いて記録素子と再生素子とのディスク半径方向の距離を可変させてもよく、この場合、上記と同様の効果が得られる。
【０２１１】
なお、本実施の形態３の第１及び第２のトラック位置ずれ検出部において、ＴＥ信号は、ディスク１０４における離散的なサーボ領域１１１を金属アンテナが通過する際に得られる検出信号から生成されるが、本発明は特にこれに限定されることはない。すなわち、例えば記録素子又は再生素子のトラック中心に対する位置ずれを示すＴＥ信号は、データ領域１１０において連続的に得られる検出信号から生成してもよく、この場合、上記と同様の効果が得られる。
【０２１２】
なお、本実施の形態３においては、二値化部を用いて信号が再生されるが、本発明は特にこれに限定されるものではない。すなわち、例えば波形等化回路等を用いて信号が再生される構成としてもよい。
【０２１３】
なお、本実施の形態３においては、ディスク１０４の回転方向は、図２の紙面下方から紙面上方に向かう方向とし、ディスク１０４におけるトラックの記録方向は、図２の紙面左方から紙面右方に向かう方向としているが、本発明は特にこれに限定されることはない。すなわち、ディスクの回転方向とトラックの記録方向とに対して、スライダ上における記録素子と再生素子との配置が、本実施の形態３と定性的に同じであればよく、この場合、上記と同様の効果が得られる。
【０２１４】
（実施の形態４）
実施の形態４においては、情報装置の一例として情報記録再生装置を挙げて説明する。また、情報担体の一例としてディスクを挙げて説明する。また、第１の素子の一例として、情報担体に対して情報を記録するための記録素子を挙げて説明する。また、第２の素子の一例として、情報担体から情報を再生するための再生素子を挙げて説明する。
【０２１５】
図１７は、本発明の実施の形態４における情報記録再生装置の構成を示すブロック図である。図１８は、図１７におけるスライダ６００の構成の一例を示す模式図である。なお、実施の形態４において、実施の形態１〜３と同様の構成には同じ符号を付し、その説明を省略する。
【０２１６】
図１７に示す情報記録再生装置は、スライダ６００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４及び二値化部１２５を備える。
【０２１７】
図１８に示すように、スライダ６００は、三角形状の第１の金属アンテナ１０３ａ、三角形状の第２の金属アンテナ１０３ｂ、三角形状の第３の金属アンテナ１０３ｃ及びヒータ１０７を備える。第１の金属アンテナ１０３ａ、第２の金属アンテナ１０３ｂ及び第３の金属アンテナ１０３ｃは、それぞれ三角形状の先端がセル１０５の表面に最も近接するようにスライダ６００に配置されている。加えて、第１の金属アンテナ１０３ａ及び第２の金属アンテナ１０３ｂは、第１の金属アンテナ１０３ａの先端と第２の金属アンテナ１０３ｂの先端とがディスク半径方向にトラック間隔Ｔｐだけ離れた位置になるように紙面左方から第１の金属アンテナ１０３ａ及び第２の金属アンテナ１０３ｂの順にスライダ６００に配置されている。また、第３の金属アンテナ１０３ｃは、第１の金属アンテナ１０３ａと同一のディスク半径位置のトラックに位置するように第１の金属アンテナ１０３ａに対してトラック方向に近接して配置されている。また、ヒータ１０７は、第１の金属アンテナ１０３ａと第２の金属アンテナ１０３ｂとの間に配置されている。
【０２１８】
スライダ６００は、第１の半導体レーザ素子１０１ａ、第２の半導体レーザ素子１０１ｂ、第３の半導体レーザ素子１０１ｃ、第１の導波路１０２ａ、第２の導波路１０２ｂ、第３の導波路１０２ｃ、第１の金属アンテナ１０３ａ、第２の金属アンテナ１０３ｂ、第３の金属アンテナ１０３ｃ、第１の受光素子１０６ａ、第２の受光素子１０６ｂ、第３の受光素子１０６ｃ及びヒータ１０７を備える。
【０２１９】
第３の金属アンテナ１０３ｃは、第１の半導体レーザ素子１０１ａ（記録素子）と同じトラック上で、かつ第１の半導体レーザ素子１０１ａ（記録素子）の近傍に配置される。第１のトラック位置ずれ検出部１０９ａは、第３の金属アンテナ１０３ｃ（トラッキング用素子）とトラックとの位置ずれを検出する。第２のトラック位置ずれ検出部１０９ｂは、第２の金属アンテナ１０３ｂ（再生素子）とトラックとの位置ずれを検出する。
【０２２０】
なお、本実施の形態４において、第３の金属アンテナ１０３ｃがトラッキング用素子の一例に相当し、第１のトラック位置ずれ検出部１０９ａが記録トラック位置ずれ検出部の一例に相当し、第２のトラック位置ずれ検出部１０９ｂが再生トラック位置ずれ検出部の一例に相当し、スライダ６００がヘッドの一例に相当する。
【０２２１】
以上のように構成された情報記録再生装置の動作について説明する。
【０２２２】
光源である第３の半導体レーザ素子１０１ｃから出射された光は、光を導く光学素子であるＹ字型の第３の導波路１０２ｃに入射され、第３の導波路１０２ｃによって第３の金属アンテナ１０３ｃに導かれる。第３の金属アンテナ１０３ｃは、第３の半導体レーザ素子１０１ｃの光によりプラズモン共鳴を励起する共鳴素子である。第３の金属アンテナ１０３ｃに導かれた光は、プラズモン共鳴を励起する。
【０２２３】
一方、第３の金属アンテナ１０３ｃからの反射光は、第３の導波路１０２ｃに入射され、第３の導波路１０２ｃによって第３の受光素子１０６ｃに導かれて検出される。第３の受光素子１０６ｃは、検出した反射光の強度に応じた検出信号Ｓｃを出力する。第３の受光素子１０６ｃから出力された検出信号Ｓｃは、第１のトラック位置ずれ検出部１０９ａに入力される。第１のトラック位置ずれ検出部１０９ａは、検出信号Ｓｃに基づいて、三角形状の第３の金属アンテナ１０３ｃの先端とトラック中心との位置ずれを示すＴＥ信号ＴＥｃを生成する。第１のトラック位置ずれ検出部１０９ａは、第３の金属アンテナ１０３ｃの先端とトラック中心との位置ずれを示すＴＥ信号ＴＥｃを、スライダ制御部１１８へ出力する。
【０２２４】
以上の動作によって、ＴＥ信号ＴＥｃを用いて、第３の金属アンテナ１０３ｃの先端がディスク１０４のトラック中心に正しく位置するように制御するトラック制御が実現される。
【０２２５】
ここで、第３の金属アンテナ１０３ｃは、記録素子である第１の金属アンテナ１０３ａと同一のディスク半径位置のトラックに位置するように第１の金属アンテナ１０３ａに対してトラック方向に近接して配置されている。そのため、ＴＥ信号ＴＥｃによるトラック制御によって、第３の金属アンテナ１０３ｃの先端と第１の金属アンテナ１０３ａの先端とは、ディスク１０４の同一トラックのトラック中心に正しく位置するように制御される。
【０２２６】
以上の動作によって、第１の金属アンテナ１０３ａからＴＥ信号が得られない構成であっても、トラッキング用の第３の金属アンテナ１０３ｃから得られるＴＥ信号ＴＥｃを用いて第１の金属アンテナ１０３ａの先端がディスク１０４のトラック中心に正しく位置するように制御するトラック制御が実現される。
【０２２７】
以上説明したように、本実施の形態４の情報記録再生装置では、ＴＥ信号ＴＥｃとアームモータ１２０とによって第１の金属アンテナ１０３ａのトラック制御が行われる。これにより、記録素子である第１の金属アンテナ１０３ａにおいて、第１の金属アンテナ１０３ａの先端とトラック中心との位置ずれを示すＴＥ信号が得られない場合においても、第１の金属アンテナ１０３ａは正しくトラックを追従できる。
【０２２８】
したがって、一つのスライダ上に記録素子と再生素子とが配置され、それぞれの素子を各々トラックに追従させる情報記録再生装置において、記録素子とトラックとの位置ずれがトラッキング用素子とトラックとの位置ずれによって検出されるので、記録素子と再生素子とは、それぞれのトラック制御によって各々正しくトラックを追従することが可能となる。その結果、情報記録再生装置の記録性能及び再生性能を向上させることができる。
【０２２９】
なお、本実施の形態４においては、アームモータ１２０及びヒータ１０７は、記録素子と再生素子とをディスク半径方向に互いに隣接するトラックに追従させているが、本発明は特にこれに限定されず、アームモータ１２０及びヒータ１０７は、記録素子と再生素子とをディスク半径方向に２つ以上離れたトラックに追従させてもよく、この場合、上記と同様の効果が得られる。
【０２３０】
なお、本実施の形態４においては、ＴＥ信号ＴＥｃとアームモータ１２０（ヘッド移動部）とによって第１の金属アンテナ１０３ａ（記録素子）のトラック制御が行われ、ＴＥ信号ＴＥｂとヒータ１０７（素子間距離可変部）とによって第２の金属アンテナ１０３ｂ（再生素子）のトラック制御が行われるが、本発明は特にこれに限定されず、ＴＥ信号ＴＥｃとヒータ１０７（素子間距離可変部）とによって第１の金属アンテナ１０３ａ（記録素子）のトラック制御が行われ、ＴＥ信号ＴＥｂとアームモータ１２０（ヘッド移動部）とによって第２の金属アンテナ１０３ｂ（再生素子）のトラック制御が行われてもよく、この場合、上記と同様の効果が得られる。
【０２３１】
なお、本実施の形態４においては、記録素子に金属アンテナを用いることでプラズモン共鳴を励起し、パターンド媒体であるディスク１０４上のセル１０５における記録膜の相変化材料を相変化させることで情報を記録し、再生素子に金属アンテナを用いることで、セル１０５における記録膜の相変化材料の相状態をプラズモン共鳴状態の強弱として検出することにより情報を再生している。しかしながら、情報を記録又は再生する方法及びディスクの構造は、上記に限定されることはない。すなわち、情報記録再生装置の記録方式は、ハードディスクドライブで用いられるような磁気素子と磁気ディスクとを用いた磁気記録方式等であってもよく、この場合、上記と同様の効果が得られる。
【０２３２】
なお、本実施の形態４においては、素子間距離可変部としてヒータが用いられ、ヒータの発熱により熱量変化に応じた周囲の膨張収縮を利用して記録素子と再生素子とのディスク半径方向の距離を可変させているが、本発明は特にこれに限定されることはない。すなわち、例えば圧電素子等を用いて記録素子と再生素子とのディスク半径方向の距離を可変させてもよく、この場合、上記と同様の効果が得られる。
【０２３３】
なお、本実施の形態４の第１及び第２のトラック位置ずれ検出部において、ＴＥ信号は、ディスク１０４における離散的なサーボ領域１１１を金属アンテナが通過する際に得られる検出信号から生成されるが、本発明は特にこれに限定されることはない。すなわち、例えば記録素子又は再生素子のトラック中心に対する位置ずれを示すＴＥ信号は、データ領域１１０において連続的に得られる検出信号から生成してもよく、この場合、上記と同様の効果が得られる。
【０２３４】
なお、本実施の形態４においては、二値化部を用いて信号が再生されるが、本発明は特にこれに限定されるものではない。すなわち、例えば波形等化回路等を用いて信号が再生される構成としてもよい。
【０２３５】
なお、本実施の形態４においては、ディスク１０４の回転方向は、図１８の紙面下方から紙面上方に向かう方向とし、ディスク１０４におけるトラックの記録方向は、図１８の紙面左方から紙面右方に向かう方向としているが、本発明は特にこれに限定されることはない。すなわち、ディスクの回転方向とトラックの記録方向とに対して、スライダ上における記録素子と再生素子との配置が、本実施の形態４と定性的に同じであればよく、この場合、上記と同様の効果が得られる。
【０２３６】
（実施の形態５）
実施の形態５においては、情報装置の一例として情報記録再生装置を挙げて説明する。また、情報担体の一例としてディスクを挙げて説明する。また、第１の素子の一例として、情報担体に対して情報を記録するための記録素子を挙げて説明する。また、第２の素子の一例として、情報担体から情報を再生するための再生素子を挙げて説明する。
【０２３７】
図１９は、本発明の実施の形態５における情報記録再生装置の構成を示すブロック図である。なお、実施の形態５において、実施の形態１〜４と同様の構成には同じ符号を付し、その説明を省略する。
【０２３８】
図１９に示す情報記録再生装置は、スライダ１００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４、二値化部１２５、マイクロコンピュータ１２９及びスイッチ１３０を備える。
【０２３９】
マイクロコンピュータ１２９は、記録動作中の第１のトラック位置ずれ検出部１０９ａからの信号に基づいて、記録動作中に異常が発生したか否かを検出する。
【０２４０】
スイッチ１３０は、マイクロコンピュータ１２９によって記録動作中に異常が発生したことが検出された場合、対象とするトラックに第２の金属アンテナ１０３ｂ（再生素子）が追従するのを停止させる。
【０２４１】
なお、本実施の形態５において、マイクロコンピュータ１２９が記録異常検出部の一例に相当し、スイッチ１３０が追従停止部の一例に相当する。
【０２４２】
以上のように構成された情報記録再生装置の動作について説明する。
【０２４３】
第１のトラック位置ずれ検出部１０９ａは、第１の金属アンテナ１０３ａの先端とトラック中心との位置ずれを示すＴＥ信号ＴＥａを、スライダ制御部１１８とマイクロコンピュータ１２９とに出力する。第１の金属アンテナ１０３ａの先端とトラック中心との位置ずれを示すＴＥ信号ＴＥａは、スライダ制御部１１８とマイクロコンピュータ１２９とへ入力される。
【０２４４】
一方、第２のトラック位置ずれ検出部１０９ｂは、第１の金属アンテナ１０３ａの先端とトラック中心との位置ずれを示すＴＥ信号ＴＥｂを、スイッチ１３０に出力する。第１の金属アンテナ１０３ａの先端とトラック中心との位置ずれを示すＴＥ信号ＴＥｂは、スイッチ１３０を経てヒータ制御部１２１へ入力される。
【０２４５】
マイクロコンピュータ１２９は、入力されたＴＥ信号ＴＥａに基づいて記録動作中に制御異常が発生したか否かを判断する。なお、マイクロコンピュータ１２９は、第１のトラック位置ずれ検出部１０９ａから出力されたＴＥ信号ＴＥａと、所定の閾値とを比較し、ＴＥ信号ＴＥａが所定の閾値を越えていない場合、記録動作中に制御異常が発生しておらず、正常に記録動作が行われていると判断し、ＴＥ信号ＴＥａが所定の閾値を越えている場合、記録動作中に制御異常が発生したと判断する。マイクロコンピュータ１２９は、記録動作中に制御異常が発生したと判断した場合、スイッチ１３０へ制御信号を出力し、スイッチ１３０をオフする。
【０２４６】
以上の動作によって、マイクロコンピュータ１２９がＴＥ信号ＴＥａを用いて記録動作中に制御異常が発生したか否かを判断し、制御異常が発生したと判断された場合、マイクロコンピュータ１２９がスイッチ１３０をオフする。これにより、ＴＥ信号ＴＥｂとヒータ１０７とによって第２の金属アンテナ１０３ｂの先端をトラック中心に正しく位置するように制御していたトラック制御が停止する。
【０２４７】
これにより、本実施の形態５の情報記録再生装置では、第１の金属アンテナ１０３ａによる情報の記録と並行して、ディスク１０４が１回転した後に第２の金属アンテナ１０３ｂにより記録された情報を再生することにより情報が正しく記録されたか否かを確認するベリファイ動作中に制御異常が発生した場合、記録素子におけるトラック制御を優先して実行することができる。
【０２４８】
したがって、一つのスライダ上に記録素子と再生素子とが配置され、それぞれの素子を各々トラックに追従させる情報記録再生装置において、記録動作中に制御異常が発生した場合、再生素子におけるトラック制御を停止し、記録素子のトラック制御のみを動作させることが可能となる。その結果、情報記録再生装置の記録性能を向上させることができる。
【０２４９】
なお、本実施の形態５においては、アームモータ１２０及びヒータ１０７は、記録素子と再生素子とをディスク半径方向に互いに隣接するトラックに追従させているが、本発明は特にこれに限定されず、アームモータ１２０及びヒータ１０７は、記録素子と再生素子とをディスク半径方向に２つ以上離れたトラックに追従させてもよく、この場合、上記と同様の効果が得られる。
【０２５０】
なお、本実施の形態５においては、ＴＥ信号ＴＥａとアームモータ１２０（ヘッド移動部）とによって第１の金属アンテナ１０３ａ（記録素子）のトラック制御が行われ、ＴＥ信号ＴＥｂとヒータ１０７（素子間距離可変部）とによって第２の金属アンテナ１０３ｂ（再生素子）のトラック制御が行われるが、ＴＥ信号ＴＥａとヒータ１０７（素子間距離可変部）とによって第１の金属アンテナ１０３ａ（記録素子）のトラック制御が行われ、ＴＥ信号ＴＥｂとアームモータ１２０（ヘッド移動部）とによって第２の金属アンテナ１０３ｂ（再生素子）のトラック制御が行われてもよく、この場合、上記と同様の効果が得られる。
【０２５１】
なお、本実施の形態５においては、記録素子に金属アンテナを用いることでプラズモン共鳴を励起し、パターンド媒体であるディスク１０４上のセル１０５における記録膜の相変化材料を相変化させることで情報を記録し、再生素子に金属アンテナを用いることで、セル１０５における記録膜の相変化材料の相状態をプラズモン共鳴状態の強弱として検出することにより情報を再生している。しかしながら、情報を記録又は再生する方法及びディスクの構造は、上記に限定されることはない。すなわち、情報記録再生装置の記録方式は、ハードディスクドライブで用いられるような磁気素子と磁気ディスクとを用いた磁気記録方式等であってもよく、この場合、上記と同様の効果が得られる。
【０２５２】
なお、本実施の形態５においては、素子間距離可変部としてヒータが用いられ、ヒータの発熱により熱量変化に応じた周囲の膨張収縮を利用して記録素子と再生素子とのディスク半径方向の距離を可変させているが、本発明は特にこれに限定されることはない。すなわち、例えば圧電素子等を用いて記録素子と再生素子とのディスク半径方向の距離を可変させてもよく、この場合、上記と同様の効果が得られる。
【０２５３】
なお、本実施の形態５の第１及び第２のトラック位置ずれ検出部において、ＴＥ信号は、ディスク１０４における離散的なサーボ領域１１１を金属アンテナが通過する際に得られる検出信号から生成されるが、本発明は特にこれに限定されることはない。すなわち、例えば記録素子又は再生素子のトラック中心に対する位置ずれを示すＴＥ信号は、データ領域１１０において連続的に得られる検出信号から生成してもよく、この場合、上記と同様の効果が得られる。
【０２５４】
なお、本実施の形態５においては、二値化部を用いて信号が再生されるが、本発明は特にこれに限定されるものではない。すなわち、例えば波形等化回路等を用いて信号が再生される構成としてもよい。
【０２５５】
なお、本実施の形態５においては、ディスク１０４の回転方向は、図２の紙面下方から紙面上方に向かう方向とし、ディスク１０４におけるトラックの記録方向は、図２の紙面左方から紙面右方に向かう方向としているが、本発明は特にこれに限定されることはない。すなわち、ディスクの回転方向とトラックの記録方向とに対して、スライダ上における記録素子と再生素子との配置が、本実施の形態５と定性的に同じであればよく、この場合、上記と同様の効果が得られる。
【０２５６】
（実施の形態６）
実施の形態６においては、情報装置の一例として磁気記録装置を挙げて説明する。また、情報担体の一例として磁気ディスクを挙げて説明する。また、第１の素子の一例として、トラッキング用素子を挙げて説明する。また、第２の素子の一例として、情報担体の記録対象領域を加熱するための加熱用素子を挙げて説明する。
【０２５７】
図２０は、本発明の実施の形態６における磁気記録装置の構成を示すブロック図である。図２１は、図２０におけるスライダ７００の構成の一例を示す模式図である。なお、実施の形態６において、実施の形態１と同様の構成には同じ符号を付し、その説明を省略する。
【０２５８】
図２０に示す磁気記録装置は、スライダ７００、サスペンションアーム１０８、第１のトラック位置ずれ検出部１０９ａ、第２のトラック位置ずれ検出部１０９ｂ、スライダ制御部１１８、アームモータ駆動部１１９、アームモータ１２０、ヒータ制御部１２１、ヒータ駆動部１２２、ホストコンピュータ１２３、ＬＤ駆動部１２４、二値化部１２５及び磁気記録素子駆動部７０５を備える。
【０２５９】
図２１に示すように、スライダ７００は、磁気記録素子７０１、加熱用素子７０２、トラッキング用素子７０３及びヒータ７０４を備える。
【０２６０】
磁気記録素子７０１と加熱用素子７０２とトラッキング用素子７０３とは、先端がセル１０５の表面に最も近接するようにスライダ７００に配置されている。加えて、磁気記録素子７０１と加熱用素子７０２とトラッキング用素子７０３とは、先端が所定の距離だけ離れて同一のディスク半径位置のトラックに位置するように、紙面上方からトラッキング用素子７０３、磁気記録素子７０１及び加熱用素子７０２の順にスライダ７００に配置されている。すなわち、ディスク上の情報を記録する位置に対し、加熱用素子７０２が到達した後に磁気記録素子７０１とトラッキング用素子７０３が到達するように、同一ヘッド上に配置されている。また、ヒータ７０４は、磁気記録素子７０１及びトラッキング用素子７０３に対し、ディスク半径方向に配置されている。
【０２６１】
スライダ７００は、さらに、第１の半導体レーザ素子１０１ａ、第２の半導体レーザ素子１０１ｂ、第１の導波路１０２ａ、第２の導波路１０２ｂ、第１の受光素子１０６ａ及び第２の受光素子１０６ｂを備える。
【０２６２】
加熱用素子７０２は、三角形状の金属アンテナで構成され、近接場光を出射する。加熱用素子７０２は、ディスク１０４の記録対象領域を加熱する。セル１０５は、磁気記録材料を含んでいる。ホストコンピュータ１２３は、記録データ信号を磁気記録素子駆動部７０５に出力する。磁気記録素子駆動部７０５は、入力された記録データ信号に応じて駆動信号を磁気記録素子７０１に出力する。磁気記録素子７０１は、磁気記録素子駆動部７０５からの駆動信号に応じて、磁界を発生させる。磁気記録素子７０１は、ディスク１０４に対して磁気的に情報を記録する。
【０２６３】
本実施の形態６の磁気記録装置は、加熱用素子７０２により近接場光が照射されることで加熱されたセル１０５に対して、磁気記録素子７０１が発生する磁界により、情報を記録する。
【０２６４】
すなわち、加熱用素子７０２からの近接場光がセル１０５に照射され、セル１０５が加熱されると、セル１０５の保磁力が一時的に低下する。これを利用して、保磁力が低下したセル１０５に対して、磁気記録素子７０１が発生させる磁界により、セル１０５の磁極などを変化させ、情報が記録される。
【０２６５】
トラッキング用素子７０３は、三角形状の金属アンテナで構成され、セル１０５との間でプラズモン共鳴を生じさせる。トラッキング用素子７０３は、磁気記録素子７０１と同じトラック上で、かつ磁気記録素子７０１の近傍に配置されている。このため、磁気記録素子７０１は、トラッキング用素子７０３と同じトラック上に位置する。
【０２６６】
第１のトラック位置ずれ検出部１０９ａは、第１の受光素子１０６ａからの検出信号Ｓａに基づいて、加熱用素子７０２の先端とトラック中心との位置ずれを示すＴＥ信号ＴＥａを生成する。また、第２のトラック位置ずれ検出部１０９ｂは、第２の受光素子１０６ｂからの検出信号Ｓｂに基づいて、トラッキング用素子７０３の先端とトラック中心との位置ずれを示すＴＥ信号ＴＥｂを生成する。
【０２６７】
ＴＥ信号ＴＥａは、スライダ制御部１１８へ入力される。スライダ７００は、ディスク半径方向に移動される。これにより、ＴＥ信号ＴＥａを用いて、加熱用素子７０２の先端がディスク１０４のトラック中心に正しく位置するように制御するトラック制御が実現される。
【０２６８】
一方、ＴＥ信号ＴＥｂは、ヒータ制御部１２１へ入力される。ヒータ７０４は、ヒータ駆動信号に応じて発熱し、熱量変化に応じた周囲の膨張収縮によって、加熱用素子７０２と、トラッキング用素子７０３及び磁気記録素子７０１とのディスク半径方向の距離を変える。アームモータ１２０とヒータ７０４とは、トラッキング用素子７０３と加熱用素子７０２とを同じトラックに追従させることにより、磁気記録素子７０１と加熱用素子７０２とを同じトラックに追従させる。これにより、加熱用素子７０２に対して、磁気記録素子７０１が、ディスク半径方向に移動される。これにより、ＴＥ信号ＴＥｂを用いて、磁気記録素子７０１の先端がディスク１０４のトラック中心に正しく位置するように制御するトラック制御が実現される。
【０２６９】
なお、本実施の形態６において、トラッキング用素子７０３が第１の素子及びトラッキング用素子の一例に相当し、加熱用素子７０２が第２の素子及び加熱用素子の一例に相当し、スライダ７００がヘッドの一例に相当し、ヒータ７０４が素子間距離可変部の一例に相当する。
【０２７０】
以上のように、本実施の形態６の磁気記録装置は、ディスク１０４（情報担体）の表面を移動するスライダ７００（ヘッド）を備える。ディスク１０４の表面には、トラック方向に沿ってトラックが形成されている。トラッキング用素子７０３（第１の素子）と、ディスク１０４の記録対象領域を加熱するための加熱用素子７０２（第２の素子）とが同一のスライダ７００に配置されている。磁気記録装置は、トラッキング用素子７０３（第１の素子）と、加熱用素子７０２（第２の素子）と、トラッキング用素子７０３と加熱用素子７０２との間の距離を、ディスク１０４の表面におけるトラック方向に直交する方向に可変させるヒータ７０４（素子間距離可変部）とを含むスライダ７００（ヘッド）と、スライダ７００をディスク１０４の表面に対して平行に移動させるアームモータ１２０（ヘッド移動部）とを備えている。このとき、アームモータ１２０とヒータ７０４とは、トラッキング用素子７０３と加熱用素子７０２とを、各々が対象とするトラックに追従させる。
【０２７１】
さらに、スライダ７００（ヘッド）は、ディスク１０４に対して磁気的に情報を記録するための磁気記録素子７０１を含む。トラッキング用素子７０３は、磁気記録素子７０１と同じトラック上で、かつ磁気記録素子７０１の近傍に配置されている。このとき、トラッキング用素子７０３と加熱用素子７０２とが同じトラックに追従することで、磁気記録素子７０１と加熱用素子７０２とが同じトラックに追従する。
【０２７２】
以上の構成により、スライダ７００における、加熱用素子７０２と磁気記録素子７０１とが、磁気記録装置の組み立て誤差などにより、同一トラック上に位置しない場合であっても、アームモータ１２０（ヘッド移動部）とヒータ７０４（素子間距離可変部）とを用いて、加熱用素子７０２とトラッキング用素子７０３とを同一のトラック上に位置させることにより、加熱用素子７０２と磁気記録素子７０１とを同一のトラック上に位置させることが可能となる。これにより、磁気記録素子７０１によって記録される記録対象領域を、加熱用素子７０２により、精度良く加熱することができる。
【０２７３】
なお、本実施の形態６においては、ＴＥ信号ＴＥａとヒータ７０４（素子間距離可変部）とによってトラッキング用素子７０３のトラック制御が行われ、ＴＥ信号ＴＥｂとアームモータ１２０（ヘッド移動部）とによって加熱用素子７０２のトラック制御が行われてもよく、この場合、上記と同様の効果が得られる。
【０２７４】
なお、本実施の形態６における素子間距離可変部として圧電素子などが用いられてもよい。
【０２７５】
なお、実施の形態１〜５における記録素子は、情報担体の記録対象領域とのプラズモン共鳴により発生させた近接場光を記録対象領域に照射することで、情報を記録する素子であってもよい。また、実施の形態１〜５における再生素子は、情報担体の再生対象領域とのプラズモン共鳴を利用して、情報を再生する素子であってもよい。
【０２７６】
記録素子、再生素子、トラッキング用素子及び加熱用素子などが、プラズモン共鳴を利用する素子である場合、素子自身が熱を発生させるため、ヘッド上における素子の位置が変化し易い。このため、実施の形態１〜６で説明したように、素子間距離可変部を備えることで、素子自身が発する熱による位置ずれも補正することができる。
【０２７７】
すなわち、例えば、２つの素子自身が発する熱によって、２つの素子の間隔が狭くなってしまった場合、素子間距離可変部によって、２つの素子の間隔を広げることで、２つの素子の間隔を適切な間隔に補正することができる。一方、２つの素子自身が発する熱によって、２つの素子の間隔が広くなってしまった場合、素子間距離可変部によって、２つの素子の間隔を縮めることで、２つの素子の間隔を適切な間隔に補正することができる。
【０２７８】
なお、素子間距離可変部がヒータである場合は、例えば、予めヒータに熱を発生させておき、２つの素子の間隔が広くなった場合には、ヒータから発生する熱を低下させることで、２つの素子の間隔を縮めてもよい。
【０２７９】
なお、実施の形態１〜６における情報担体の形状は、ディスク形状（円盤形状）のみに限定されない。例えば、情報担体は、四角形状の平板であっても良い。また、情報担体は、回転されず、固定されていてもよい。この場合、情報装置は、固定された情報担体上をヘッドが走査するように、ヘッドを移動させる機構をさらに備えてもよい。
【０２８０】
なお、上述した具体的実施形態には以下の構成を有する発明が主に含まれている。
【０２８１】
本発明の一局面に係る情報装置は、第１の素子と、第２の素子と、前記第１の素子と前記第２の素子との間の距離を、前記情報担体の表面におけるトラック方向に直交する方向に可変させる素子間距離可変部とを含むヘッドと、前記ヘッドを前記情報担体の表面に対して平行に移動させるヘッド移動部とを備え、前記ヘッド移動部と前記素子間距離可変部とは、前記第１の素子と前記第２の素子とを、各々が対象とするトラックに追従させる。
【０２８２】
この構成によれば、ヘッド移動部と素子間距離可変部とによって、第１の素子と第２の素子とが、各々が対象とするトラックに追従されるので、ヘッド上の各素子を情報担体上の各々が対象とするトラックに精度良く追従させることができるとともに、記録性能及び再生性能を向上させることができる。
【０２８３】
また、上記の情報装置において、前記ヘッド移動部と前記素子間距離可変部とは、前記第１の素子と前記第２の素子とを異なる半径位置のトラックに追従させることが好ましい。
【０２８４】
この構成によれば、第１の素子と第２の素子とが異なる半径位置のトラックに追従されるので、情報の記録と情報の再生とを並行して行うことができ、情報を記録しながら、記録した情報を再生することができ、情報を再生しながら、再生した情報を記録することができる。
【０２８５】
また、上記の情報装置において、前記ヘッド移動部と前記素子間距離可変部とは、前記第１の素子と前記第２の素子とを前記トラック方向に直交する方向に互いに隣接するトラックに追従させることが好ましい。
【０２８６】
この構成によれば、第１の素子と第２の素子とが、トラック方向に直交する方向に互いに隣接するトラックに追従されるので、第１の素子と第２の素子とを有するヘッドを小型化することができ、装置の製造コストを低減することができる。
【０２８７】
また、上記の情報装置において、前記ヘッド移動部と前記素子間距離可変部とは、前記第１の素子と前記第２の素子とを同じトラックに追従させることが好ましい。
【０２８８】
この構成によれば、第１の素子と第２の素子とが同じトラックに追従されるので、情報の記録と情報の再生とを並行して行うことができ、情報を記録しながら、記録した情報を再生することができ、情報を再生しながら、再生した情報を記録することができる。
【０２８９】
また、上記の情報装置において、前記第１の素子は、前記情報担体に対して情報を記録するための記録素子を含み、前記第２の素子は、前記情報担体から情報を再生するための再生素子を含むことが好ましい。
【０２９０】
この構成によれば、記録素子によって情報担体に対して情報を記録することができるとともに、再生素子によって情報担体から情報を再生することができる。
【０２９１】
また、上記の情報装置において、前記記録素子は、前記情報担体の記録対象領域とのプラズモン共鳴により発生させた近接場光を前記記録対象領域に照射することで、前記情報担体に対して情報を記録し、前記再生素子は、前記情報担体の再生対象領域とのプラズモン共鳴を利用して、前記情報担体から情報を再生することが好ましい。
【０２９２】
この構成によれば、近接場光を記録対象領域に照射することで、情報担体に対して情報が記録され、プラズモン共鳴を利用して、情報担体から情報が再生されるので、記録密度の高い情報担体に対して情報を記録することができるとともに、記録密度の高い情報担体から情報を再生することができる。
【０２９３】
また、上記の情報装置において、前記記録素子と前記再生素子とは、記録動作又は再生動作を行う際に、前記情報担体上の情報を記録又は再生する位置に対し、前記記録素子が到達した後に前記再生素子が到達するように配置されていることが好ましい。
【０２９４】
この構成によれば、記録素子と再生素子とは、記録動作又は再生動作を行う際に、情報担体上の情報を記録又は再生する位置に対し、記録素子が到達した後に再生素子が到達するように配置されている。
【０２９５】
したがって、情報を記録しながら、記録した情報を再生することができるので、記録動作と同時にベリファイ動作を行うことができ、ベリファイ動作に要する時間を短縮することができ、記録信頼性を向上させることができる。
【０２９６】
また、上記の情報装置において、前記記録素子と前記再生素子とは、記録動作を行う時に前記情報担体の記録膜の変化が開始してから終了するまでの時間と、前記情報担体の回転数とに基づいて決定される距離以上離れて配置されていることが好ましい。
【０２９７】
この構成によれば、記録素子と再生素子とは、記録動作を行う時に情報担体の記録膜の変化が開始してから終了するまでの時間と、情報担体の回転数とに基づいて決定される距離以上離れて配置されているので、情報を記録した後、記録した情報を確実に再生することができる。
【０２９８】
また、上記の情報装置において、前記記録素子によって記録された情報を前記再生素子によって記録動作と並行して再生することにより、前記記録素子による記録が正しく行われたか否かを確認する確認部をさらに備えることが好ましい。
【０２９９】
この構成によれば、記録素子によって記録された情報が再生素子によって記録動作と並行して再生されることにより、記録素子による記録が正しく行われたか否かが確認されるので、記録動作と同時にベリファイ動作を行うことができ、ベリファイ動作に要する時間を短縮することができ、記録信頼性を向上させることができる。
【０３００】
また、上記の情報装置において、前記記録素子と前記再生素子とは、記録動作又は再生動作を行う際に、前記情報担体上の情報を記録又は再生する位置に対し、前記再生素子が到達した後に前記記録素子が到達するように配置されていることが好ましい。
【０３０１】
この構成によれば、記録素子と再生素子とは、記録動作又は再生動作を行う際に、情報担体上の情報を記録又は再生する位置に対し、再生素子が到達した後に記録素子が到達するように配置されている。
【０３０２】
したがって、情報を再生しながら、再生した情報を記録することができるので、再生動作と同時に、過去に記録した情報を改めて記録し直す上書き動作を行うことができ、上書き動作に要する時間を短縮することができ、記録済みの情報の信頼性を向上させることができる。
【０３０３】
また、上記の情報装置において、前記記録素子と前記再生素子とは、再生信号が伝送される再生信号伝送路を前記再生信号が通過するのに要する再生遅延時間と前記再生信号を処理するのに要する回路遅延時間と記録信号が伝送される記録信号伝送路を前記記録信号が通過するのに要する記録遅延時間との合計時間と、前記情報担体の回転数とに基づいて決定される距離以上離れて配置されていることが好ましい。
【０３０４】
この構成によれば、記録素子と再生素子とは、再生信号が伝送される再生信号伝送路を再生信号が通過するのに要する再生遅延時間と再生信号を処理するのに要する回路遅延時間と記録信号が伝送される記録信号伝送路を記録信号が通過するのに要する記録遅延時間との合計時間と、情報担体の回転数とに基づいて決定される距離以上離れて配置されている。
【０３０５】
したがって、情報を再生した後、再生した情報を確実に記録することができる。
【０３０６】
また、上記の情報装置において、前記再生素子によって再生された情報を前記記録素子によって再生動作と並行して記録することにより、前記情報担体に記録されていた情報を上書きする上書き処理部をさらに備えることが好ましい。
【０３０７】
この構成によれば、再生素子によって再生された情報が記録素子によって再生動作と並行して記録されることにより、情報担体に記録されていた情報が上書きされるので、再生動作と同時に、過去に記録した情報を改めて記録し直す上書き動作を行うことができ、上書き動作に要する時間を短縮することができ、記録済みの情報の信頼性を向上させることができる。
【０３０８】
また、上記の情報装置において、前記情報担体に記録されていた情報を再生した際に得られる再生信号の信号品質を測定する再生信号品質測定部と、前記情報担体に記録されていた情報を前記再生素子によって再生し、前記再生信号品質測定部からの測定結果に基づいて、前記情報担体に記録されていた情報の記録品質を判断する記録品質判断部とをさらに備え、前記上書き処理部は、前記記録品質判断部によって記録品質が悪いと判断された場合、前記再生素子によって再生された情報を、前記情報担体において記録されていた位置に前記記録素子によって再生動作と並行して記録することにより、前記情報担体に記録されていた情報を上書きすることが好ましい。
【０３０９】
この構成によれば、再生信号品質測定部によって、情報担体に記録されていた情報を再生した際に得られる再生信号の信号品質が測定される。記録品質判断部によって、情報担体に記録されていた情報が再生素子によって再生され、再生信号品質測定部からの測定結果に基づいて、情報担体に記録されていた情報の記録品質が判断される。記録品質判断部によって記録品質が悪いと判断された場合、上書き処理部によって、再生素子により再生された情報が、情報担体において記録されていた位置に記録素子により再生動作と並行して記録されることにより、情報担体に記録されていた情報が上書きされる。
【０３１０】
したがって、情報担体に記録されていた情報の記録品質が悪い場合に、情報担体に記録されていた情報が上書きされるので、記録済みの情報の信頼性を向上させることができる。
【０３１１】
また、上記の情報装置において、前記記録素子と前記トラックとの位置ずれを検出する記録トラック位置ずれ検出部と、前記再生素子と前記トラックとの位置ずれを検出する再生トラック位置ずれ検出部とをさらに備えることが好ましい。
【０３１２】
この構成によれば、記録素子とトラックとの位置ずれが検出され、再生素子とトラックとの位置ずれが検出されるので、記録素子と再生素子とをそれぞれトラックに正確に追従させることができる。
【０３１３】
また、上記の情報装置において、前記再生素子と前記トラックとの位置ずれを検出する再生トラック位置ずれ検出部と、前記再生トラック位置ずれ検出部からの信号に基づいて、前記記録素子と前記トラックとの位置ずれを推定する記録トラック位置ずれ推定部とをさらに備えることが好ましい。
【０３１４】
この構成によれば、再生トラック位置ずれ検出部によって、再生素子とトラックとの位置ずれが検出され、記録トラック位置ずれ推定部によって、再生トラック位置ずれ検出部からの信号に基づいて、記録素子とトラックとの位置ずれが推定される。
【０３１５】
したがって、再生素子とトラックとの位置ずれに基づいて、記録素子とトラックとの位置ずれが推定されるので、記録素子とトラックとの位置ずれが検出されない場合であっても、記録素子をトラックに正確に追従させることができる。
【０３１６】
また、上記の情報装置において、前記記録トラック位置ずれ推定部は、前記ヘッドが位置する前記情報担体の半径位置に基づいて、前記記録素子と前記トラックとの位置ずれを推定することが好ましい。
【０３１７】
この構成によれば、ヘッドが位置する情報担体の半径位置に基づいて、記録素子とトラックとの位置ずれが推定されるので、記録素子とトラックとの位置ずれが検出されない場合であっても、記録素子をトラックに正確に追従させることができる。
【０３１８】
また、上記の情報装置において、前記ヘッドは、前記記録素子と同じトラック上で、かつ前記記録素子の近傍に配置されるトラッキング用素子をさらに含み、前記トラッキング用素子と前記トラックとの位置ずれを検出する記録トラック位置ずれ検出部と、前記再生素子と前記トラックとの位置ずれを検出する再生トラック位置ずれ検出部とをさらに備えることが好ましい。
【０３１９】
この構成によれば、ヘッドは、記録素子と同じトラック上で、かつ記録素子の近傍に配置されるトラッキング用素子をさらに含んでいる。記録トラック位置ずれ検出部によって、トラッキング用素子とトラックとの位置ずれが検出され、再生トラック位置ずれ検出部によって、再生素子とトラックとの位置ずれが検出される。
【０３２０】
したがって、記録素子と同じトラック上で、かつ記録素子の近傍に配置されるトラッキング用素子とトラックとの位置ずれが検出され、トラッキング用素子がトラックに追従されることにより、記録素子をトラックに追従させることができ、記録素子とトラックとの位置ずれが検出されない場合であっても、記録素子をトラックに正確に追従させることができる。
【０３２１】
また、上記の情報装置において、前記記録素子と前記トラックとの位置ずれを検出する記録トラック位置ずれ検出部と、記録動作中の前記記録トラック位置ずれ検出部からの信号に基づいて、記録動作中に異常が発生したか否かを検出する記録異常検出部と、前記記録異常検出部によって前記記録動作中に異常が発生したことが検出された場合、対象とするトラックに前記再生素子が追従するのを停止させる追従停止部とをさらに備えることが好ましい。
【０３２２】
この構成によれば、記録動作中に異常が発生したことが検出された場合、再生素子のトラック制御が停止され、記録素子のトラック制御のみが動作されるので、記録性能を向上させることができる。
【０３２３】
また、上記の情報装置において、前記ヘッドは、前記情報担体に対して磁気的に情報を記録するための磁気記録素子をさらに含み、前記第１の素子は、トラッキング用素子を含み、前記第２の素子は、前記情報担体の記録対象領域を加熱するための加熱用素子を含み、前記トラッキング用素子は、前記磁気記録素子と同じトラック上で、かつ前記磁気記録素子の近傍に配置されており、前記ヘッド移動部と前記素子間距離可変部とは、前記トラッキング用素子と前記加熱用素子とを同じトラックに追従させることにより、前記磁気記録素子と前記加熱用素子とを同じトラックに追従させることが好ましい。
【０３２４】
この構成によれば、ヘッドは、情報担体に対して磁気的に情報を記録するための磁気記録素子をさらに含んでいる。第１の素子は、トラッキング用素子を含み、第２の素子は、情報担体の記録対象領域を加熱するための加熱用素子を含む。トラッキング用素子は、磁気記録素子と同じトラック上で、かつ磁気記録素子の近傍に配置されている。ヘッド移動部と素子間距離可変部とは、トラッキング用素子と加熱用素子とを同じトラックに追従させることにより、磁気記録素子と加熱用素子とを同じトラックに追従させる。
【０３２５】
したがって、トラッキング用素子と加熱用素子とを同じトラックに追従させることにより、磁気記録素子と加熱用素子とを同じトラックに追従させるので、磁気記録素子によって記録される記録対象領域を、加熱用素子により、精度良く加熱することができる。
【０３２６】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０３２７】
本発明に係る情報装置は、ヘッド上の各素子を情報担体上の各々が対象とするトラックに精度良く追従させることができるとともに、記録性能及び再生性能を向上させることができ、情報担体に情報を記録する又は情報担体から情報を再生する情報装置に有用である。【０３２８】
したがって、情報装置の応用機器である大容量の光ディスクレコーダ又はコンピュータ用メモリ装置などに利用することができる。
【図１】
2013057924.tif 000003
【図２】
2013057924.tif 000004
【図３】
2013057924.tif 000005
【図４】
2013057924.tif 000006
【図５】
2013057924.tif 000007
【図６】
2013057924.tif 000008
【図７】
2013057924.tif 000009
【図８】
2013057924.tif 000010
【図９】
2013057924.tif 000011
【図１０】
2013057924.tif 000012
【図１１】
2013057924.tif 000013
【図１２】
2013057924.tif 000014
【図１３】
2013057924.tif 000015
【図１４】
2013057924.tif 000016
【図１５】
2013057924.tif 000017
【図１６】
2013057924.tif 000018
【図１７】
2013057924.tif 000019
【図１８】
2013057924.tif 000020
【図１９】
2013057924.tif 000021
【図２０】
2013057924.tif 000022
【図２１】
2013057924.tif 000023
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
第１の素子と、第２の素子と、前記第１の素子と前記第２の素子との間の距離を、情報担体の表面におけるトラック方向に直交する方向に可変させる素子間距離可変部とを含むヘッドと、
前記ヘッドを前記情報担体の表面に対して平行に移動させるヘッド移動部とを備え、
前記ヘッド移動部と前記素子間距離可変部とは、前記第１の素子と前記第２の素子とを、各々が対象とするトラックに追従させることを特徴とする情報装置。
【請求項２】
前記ヘッド移動部と前記素子間距離可変部とは、前記第１の素子と前記第２の素子とを異なる半径位置のトラックに追従させることを特徴とする請求項１記載の情報装置。
【請求項３】
前記ヘッド移動部と前記素子間距離可変部とは、前記第１の素子と前記第２の素子とを前記トラック方向に直交する方向に互いに隣接するトラックに追従させることを特徴とする請求項２に記載の情報装置。
【請求項４】
前記ヘッド移動部と前記素子間距離可変部とは、前記第１の素子と前記第２の素子とを同じトラックに追従させることを特徴とする請求項１記載の情報装置。
【請求項５】
前記第１の素子は、前記情報担体に対して情報を記録するための記録素子を含み、
前記第２の素子は、前記情報担体から情報を再生するための再生素子を含むことを特徴とする請求項１〜４のいずれかに記載の情報装置。
【請求項６】
前記記録素子は、前記情報担体の記録対象領域とのプラズモン共鳴により発生させた近接場光を前記記録対象領域に照射することで、前記情報担体に対して情報を記録し、
前記再生素子は、前記情報担体の再生対象領域とのプラズモン共鳴を利用して、前記情報担体から情報を再生することを特徴とする請求項５記載の情報装置。
【請求項７】
前記記録素子と前記再生素子とは、記録動作又は再生動作を行う際に、前記情報担体上の情報を記録又は再生する位置に対し、前記記録素子が到達した後に前記再生素子が到達するように配置されていることを特徴とする請求項５又は６記載の情報装置。
【請求項８】
前記記録素子と前記再生素子とは、記録動作を行う時に前記情報担体の記録膜の変化が開始してから終了するまでの時間と、前記情報担体の回転数とに基づいて決定される距離以上離れて配置されていることを特徴とする請求項７記載の情報装置。
【請求項９】
前記記録素子によって記録された情報を前記再生素子によって記録動作と並行して再生することにより、前記記録素子による記録が正しく行われたか否かを確認する確認部をさらに備えることを特徴とする請求項５〜８のいずれかに記載の情報装置。
【請求項１０】
前記記録素子と前記再生素子とは、記録動作又は再生動作を行う際に、前記情報担体上の情報を記録又は再生する位置に対し、前記再生素子が到達した後に前記記録素子が到達するように配置されていることを特徴とする請求項５又は６記載の情報装置。
【請求項１１】
前記記録素子と前記再生素子とは、再生信号が伝送される再生信号伝送路を前記再生信号が通過するのに要する再生遅延時間と前記再生信号を処理するのに要する回路遅延時間と記録信号が伝送される記録信号伝送路を前記記録信号が通過するのに要する記録遅延時間との合計時間と、前記情報担体の回転数とに基づいて決定される距離以上離れて配置されていることを特徴とする請求項１０記載の情報装置。
【請求項１２】
前記再生素子によって再生された情報を前記記録素子によって再生動作と並行して記録することにより、前記情報担体に記録されていた情報を上書きする上書き処理部をさらに備えることを特徴とする請求項１０又は１１記載の情報装置。
【請求項１３】
前記情報担体に記録されていた情報を再生した際に得られる再生信号の信号品質を測定する再生信号品質測定部と、
前記情報担体に記録されていた情報を前記再生素子によって再生し、前記再生信号品質測定部からの測定結果に基づいて、前記情報担体に記録されていた情報の記録品質を判断する記録品質判断部とをさらに備え、
前記上書き処理部は、前記記録品質判断部によって記録品質が悪いと判断された場合、前記再生素子によって再生された情報を、前記情報担体において記録されていた位置に前記記録素子によって再生動作と並行して記録することにより、前記情報担体に記録されていた情報を上書きすることを特徴とする請求項１２記載の情報装置。
【請求項１４】
前記記録素子と前記トラックとの位置ずれを検出する記録トラック位置ずれ検出部と、
前記再生素子と前記トラックとの位置ずれを検出する再生トラック位置ずれ検出部とをさらに備えることを特徴とする請求項５〜１３のいずれかに記載の情報装置。
【請求項１５】
前記再生素子と前記トラックとの位置ずれを検出する再生トラック位置ずれ検出部と、
前記再生トラック位置ずれ検出部からの信号に基づいて、前記記録素子と前記トラックとの位置ずれを推定する記録トラック位置ずれ推定部とをさらに備えることを特徴とする請求項５〜１３のいずれかに記載の情報装置。
【請求項１６】
前記記録トラック位置ずれ推定部は、前記ヘッドが位置する前記情報担体の半径位置に基づいて、前記記録素子と前記トラックとの位置ずれを推定することを特徴とする請求項１５に記載の情報装置。
【請求項１７】
前記ヘッドは、前記記録素子と同じトラック上で、かつ前記記録素子の近傍に配置されるトラッキング用素子をさらに含み、
前記トラッキング用素子と前記トラックとの位置ずれを検出する記録トラック位置ずれ検出部と、
前記再生素子と前記トラックとの位置ずれを検出する再生トラック位置ずれ検出部とをさらに備えることを特徴とする請求項５〜１３のいずれかに記載の情報装置。
【請求項１８】
前記記録素子と前記トラックとの位置ずれを検出する記録トラック位置ずれ検出部と、
記録動作中の前記記録トラック位置ずれ検出部からの信号に基づいて、記録動作中に異常が発生したか否かを検出する記録異常検出部と、
前記記録異常検出部によって前記記録動作中に異常が発生したことが検出された場合、対象とするトラックに前記再生素子が追従するのを停止させる追従停止部とをさらに備えることを特徴とする請求項５〜１３のいずれかに記載の情報装置。
【請求項１９】
前記ヘッドは、前記情報担体に対して磁気的に情報を記録するための磁気記録素子をさらに含み、
前記第１の素子は、トラッキング用素子を含み、
前記第２の素子は、前記情報担体の記録対象領域を加熱するための加熱用素子を含み、
前記トラッキング用素子は、前記磁気記録素子と同じトラック上で、かつ前記磁気記録素子の近傍に配置されており、
前記ヘッド移動部と前記素子間距離可変部とは、前記トラッキング用素子と前記加熱用素子とを同じトラックに追従させることにより、前記磁気記録素子と前記加熱用素子とを同じトラックに追従させることを特徴とする請求項１〜４のいずれかに記載の情報装置。
【国際調査報告】
2013057924.tif 000024
2013057924.tif 000025
2013057924.tif 000026
2013057924.tif 000027